(57)【要約】　　　（修正有）【課題】原稿不送りや原稿の前送りジャムが発生したとき、その発生部位の原稿の処理のみ行えばよいはずであるが、実際には、使用者は原稿の処理だけでなく排版途中のマスタ処理や、製版途中のマスタ処理も行わなければならず、非常に煩わしい処理作業となっていたという問題点等を解決する。【解決手段】製版スタートキーからの起動信号に基づいて、排版動作、製版動作、給版動作および給紙動作のうちの少なくとも一つの動作に先立って、ステッピングモータ１１Ａの起動により原稿搬送ローラ１１を回転させて原稿２０を搬送し、次いで原稿先端検知センサ１３からの原稿２０先端の検知有無信号に基づいて、原稿２０先端が原稿先端検知センサ１３により検知される位置まで搬送されたか否かを判断する制御装置を有することを特徴とする。【選択図】　　　　　　　図２
2004009320.tif 000002
【特許請求の範囲】
【請求項１】
セットされた原稿を搬送する原稿搬送手段と、該原稿搬送手段により搬送されてきた原稿の画像を読み取る画像読取部と、前記原稿搬送手段と該画像読取部との間に設けられ前記原稿搬送手段により搬送されてきた原稿の先端を検知する原稿検知手段と、製版済みマスタを巻装する版胴と、該版胴上の使用済みマスタを排版する排版手段、マスタを製版する製版手段、製版済みマスタを前記版胴に巻装する給版手段および前記版胴上の製版済みマスタに向けて用紙を給送する給紙手段のうちの少なくとも一つの手段とを具備し、
前記画像読取部での画像読取動作と並行して、前記排版手段による排版動作、前記製版手段による製版動作、前記給版手段による給版動作および前記給紙手段による給紙動作のうちの少なくとも一つの動作が行われる印刷装置において、
前記排版動作、前記製版動作、前記給版動作および前記給紙動作のうちの少なくとも一つの動作に先立って、前記原稿搬送手段を作動させて原稿を搬送し、前記原稿検知手段からの原稿先端の検知有無信号に基づいて、原稿先端が前記原稿検知手段により検知される位置まで搬送されたか否かを判断する制御手段を有することを特徴とする印刷装置。
【請求項２】
請求項１記載の印刷装置において、
前記画像読取動作、前記排版動作、前記製版動作、前記給版動作および前記給紙動作のうちの少なくとも一つの動作を起動するための起動手段を有することを特徴とする印刷装置。
【請求項３】
請求項１または２記載の印刷装置において、
前記給紙手段を備えた複数の給紙装置を有することを特徴とする印刷装置。
【請求項４】
請求項１，２または３記載の印刷装置において、
情報を報知する報知手段を有し、
前記原稿搬送手段を作動させて原稿を搬送し、前記原稿検知手段をして原稿先端を検知させる時に、前記原稿検知手段が所定の時間内に原稿先端を検知しないとき、原稿が滞留していることを報知するように前記報知手段を制御する報知制御手段を有することを特徴とする印刷装置。
【請求項５】
請求項１ないし４の何れか一つに記載の印刷装置において、
前記制御手段は、前記原稿検知手段からの原稿先端の検知有り信号に基づいて、予め設定された搬送距離分だけ原稿を搬送するように前記原稿搬送手段を制御した後、原稿の搬送動作を所定の時間停止するように前記原稿搬送手段を制御することを特徴とする印刷装置。
【請求項６】
請求項５記載の印刷装置において、
前記画像読取部には、前記原稿搬送手段により搬送されてきた原稿の画像を所定の位置で読み取る読取位置が設定されており、
原稿の搬送動作を前記所定の時間停止する位置は、前記読取位置よりも原稿先端が原稿搬送方向の上流側に搬送された位置であることを特徴とする印刷装置。
【請求項７】
請求項６記載の印刷装置において、
前記画像読取部は、前記原稿搬送手段により搬送されてきた原稿の画像を読み取るための画像読取手段を備えており、
前記制御手段は、原稿の搬送動作を前記所定の時間停止するように前記原稿搬送手段を制御した後、原稿の搬送を開始するように前記原稿搬送手段を制御し、その後、原稿の画像の読み取りを前記読取位置で行うように前記画像読取手段を制御する動作と連動して、前記製版動作を行うように前記製版手段を制御することを特徴とする印刷装置。
【請求項８】
セットされた原稿を搬送する原稿搬送手段と、該原稿搬送手段により搬送されてきた原稿の画像を読み取る画像読取部と、前記原稿搬送手段と該画像読取部との間に設けられ前記原稿搬送手段により搬送されてきた原稿の先端を検知する原稿検知手段と、製版済みマスタを巻装する版胴とを具備する印刷装置を使用し、
前記画像読取部での画像読取動作と並行して、前記版胴上の使用済みマスタを排版する排版手段による排版動作、マスタを製版する製版手段による製版動作、製版済みマスタを前記版胴に巻装する給版手段による給版動作および前記版胴上の製版済みマスタに向けて用紙を給送する給紙手段による給紙動作のうちの少なくとも一つの動作を行う印刷方法において、
前記排版動作、前記製版動作、前記給版動作および前記給紙動作のうちの少なくとも一つの動作に先立って、前記原稿搬送手段を作動させて原稿を搬送し、前記原稿検知手段からの原稿先端の検知有無信号に基づいて、原稿先端が前記原稿検知手段により検知される位置まで搬送されたか否かを判断することを特徴とする印刷方法。
【請求項９】
請求項８記載の印刷方法において、
前記画像読取動作、前記排版動作、前記製版動作、前記給版動作および前記給紙動作のうちの少なくとも一つの動作を起動するための起動手段を使用することを特徴とする印刷方法。
【請求項１０】
請求項８または９記載の印刷方法において、
前記給紙手段を備えた複数の給紙装置を使用することを特徴とする印刷方法。
【請求項１１】
請求項８，９または１０記載の印刷方法において、
前記原稿搬送手段を作動させて原稿を搬送し、前記原稿検知手段をして原稿先端を検知させる時に、前記原稿検知手段が所定の時間内に原稿先端を検知しないとき、情報を報知する報知手段をして原稿が滞留していることを報知させることを特徴とする印刷方法。
【請求項１２】
請求項８ないし１１の何れか一つに記載の印刷方法において、
前記原稿検知手段からの原稿先端の検知有り信号に基づいて、前記原稿搬送手段をして予め設定された搬送距離分だけ原稿を搬送させた後、原稿の搬送動作を所定の時間停止させることを特徴とする印刷方法。
【請求項１３】
請求項１２記載の印刷方法において、
前記画像読取部には、前記原稿搬送手段により搬送されてきた原稿の画像を所定の位置で読み取る読取位置が設定されており、原稿の搬送動作を前記所定の時間停止する位置は、前記読取位置よりも原稿先端が原稿搬送方向の上流側に搬送された位置であることを特徴とする印刷方法。
【請求項１４】
請求項１３記載の印刷方法において、
前記画像読取部に備えられ前記原稿搬送手段により搬送されてきた原稿の画像を読み取るための画像読取手段を使用し、前記原稿搬送手段をして原稿の搬送動作を前記所定の時間停止させた後、原稿の搬送を再び開始させ、その後、前記画像読取手段をして原稿の画像の読み取りを前記読取位置で行わせる動作と連動して、前記製版手段をして前記製版動作を行わせることを特徴とする印刷方法。
【発明の詳細な説明】
【０００１】
【発明の属する技術分野】
本発明は、印刷装置およ印刷方法に関し、さらに詳しくは孔版印刷装置等を含む印刷装置およびその印刷装置を使用する印刷方法に関する。
【０００２】
【従来の技術】
従来より簡便な印刷方法として、製版印刷一体型のデジタル式感熱孔版印刷装置（以下、「孔版印刷装置」という）を用いて印刷を行うものが知られている。これは、例えば厚さが１〜２μｍの非常に薄い熱可塑性樹脂フィルムと多孔質支持体（ベース）として和紙等の天然繊維とか合成繊維、あるいは天然繊維および合成繊維を混抄したものとを貼り合わせて構成された感熱孔版マスタ（以下、「マスタ」という）を多数の微細な発熱素子が主走査方向に配列されたサーマルヘッドとプラテンローラとの間で狭持しそれらの発熱素子にパルス的に通電させながら主走査方向と直交する副走査方向（マスタ搬送方向）に搬送することで、原稿画像等の画像情報に応じてマスタの熱可塑性樹脂フィルム部分を位置選択的に加熱溶融穿孔・製版し、この製版済みマスタを多孔性円筒状の版胴に巻装した後、該版胴上のマスタにインキを供給して給送されてきた印刷用紙（以下、「用紙」という）にそのインキを転移させることで印刷画像を形成するものである。
【０００３】
通常の前記孔版印刷装置には、原稿の画像を読み取るための原稿読取装置が配設されている。原稿読取装置には、原稿を搬送する原稿搬送ローラ対（原稿搬送手段）と、該原稿搬送ローラ対により搬送されてきた原稿の画像を所定の読取位置で読み取る画像読取部と、原稿搬送ローラ対と画像読取部との間に設けられ原稿搬送ローラ対により搬送されてきた原稿の先端を検知する原稿先端検知センサ（原稿検知手段）等とが配設されている。
【０００４】
前記のような構成を具備している孔版印刷装置では、画像読取動作、排版動作、製版動作、給版動作や給紙動作等を自動的に起動・設定するための製版スタートキー（起動手段）を押下してオンした後、原稿を画像読取部に搬送して該画像読取部での画像読取動作と、版胴上に巻装されて残っている前版の使用済みマスタを剥離して排版ボックスに廃棄・排版する排版部での排版動作と、マスタロールから繰り出されるマスタに対して原稿の画像情報に応じてサーマルヘッドで選択的に加熱・製版しつつプラテンローラで回転・搬送する製版動作とを、多少のタイミングのずれはあっても並行して行っていた（例えば特開平７−５２５１５号公報（特許第２７５６２２４号）参照）。
【０００５】
そして、原稿画像を読み取る前に、原稿画像の位置出し等のために、原稿の先端を画像読取部の読取位置まで搬送する動作、すなわち原稿プリフィードまたは原稿前送りと呼ばれる動作を行っている最中に、前記した排版動作や前記した製版動作が並行して行われる（以下、「前者の技術」という）。
【０００６】
また、例えば特開平１０−１８１１７７号公報の図１ないし図１３等に開示されているように、製版スタートキーを押してから前記一連の動作を経て最初の印刷物が排出されるまでの時間であるファースト・プリント・タイム（以下、「ＦＰＴ」と略記する）をさらに短縮するために、製版動作により作成された製版済みマスタを版胴の外周面に巻装する給版動作、版胴上の製版済みマスタに向けて用紙を給送する給紙動作（前記公開公報では、「版胴上の製版済みマスタにインキを供給して印刷画像を用紙上に形成する印刷動作」と記載されている）についても、多少のタイミングのずれはあっても並行して行うことが提案されている（以下、「後者の技術」という）。
【０００７】
【発明が解決しようとする課題】
しかしながら、前者および後者の技術では、原稿前送りや排版動作や製版動作の各動作を同時に並行して行うために、そのうちの一つの動作でジャムなどの不具合が発生した場合に、その復旧が複雑になるという問題点があった。
例えば、原稿の画像の読み取り前の原稿前送り時に、原稿セットミス等に基づく原稿不送りや原稿搬送ジャム（以下、これらを総称して「原稿前送りジャム」というときがある）が発生した場合には、通常、大切な原稿を保護・保存するために、制御装置からの指令によって原稿の搬送を自動的に停止するようになっている。原稿不送りや原稿搬送ジャムの認識は、原稿搬送ローラ対による回転開始後の所定の時間内に、原稿先端検知センサが原稿の先端を検知しないとき、制御装置は原稿が原稿先端検知センサよりも上流側の原稿搬送路で原稿が不送りやジャム等により滞留しているものと判断することでなされる。
【０００８】
この時同時に、安全のために、排版中の使用済みマスタや、製版前の製版前送りをしているマスタの搬送も途中で停止しなければならず、孔版印刷装置内の制御装置や操作パネルを除く大部分の装置駆動部が自動的に停止することとなり、また同時的にそのジャム表示を行う必要もあった。
本来は、ジャムが発生した部位の原稿の引き出し・除去処理や再度のセット等の処理（以下、「原稿の処理」というときがある）のみ行えばよいはずであるが、実際には、使用者は原稿の処理だけでなく、排版中のマスタの除去処理（以下、「排版途中のマスタ処理」というときがある）、あるいは製版前のマスタの除去処理や再セット処理（以下、「製版途中のマスタ処理」というときがある）も行わなければならず、非常に煩わしい処理作業となっていた。また、製版前マスタの処理を行うと、マスタを無駄にしてしまうという問題点もあった。
【０００９】
見方を変えて述べると、従来の孔版印刷装置では、例えば原稿前送りジャムの発生が起因となって、使用者は自身の操作側に対向して孔版印刷装置の前面に配置されているフロントカバーを開けて、その安全上から共に駆動停止している版胴の外周部と排版装置の要部を露出させた上で、排版途中のマスタ処理をしたり、その安全上から駆動停止している製版装置前面のカバー等を開放したり、あるいは装置本体に対して着脱自在な製版ユニットを構成している場合にはその製版ユニットを引き出した上でプラテンローラ配置部等における製版途中のマスタ処理をしたりしていた。
【００１０】
さらに、後者の技術では、原稿前送り動作を行っている最中に、前記した排版動作や前記した製版動作が並行して行われると同時に、前記した給版動作や前記した給紙動作の一部も並行して行われるため、実際には、使用者は原稿の処理だけでなく、排版途中のマスタ処理や製版途中のマスタ処理の他に、給版途中のマスタの除去処理（以下、「給版途中のマスタ処理」というときがある）、あるいは給紙途中の用紙除去処理（以下、「給紙途中の用紙処理」というときがある）も行わなければならず、非常に煩わしい処理作業となっていた。
【００１１】
そこで、本発明は、上述した事情に鑑みて前記問題点を解決するためになされたものであり、原稿画像の読み取り開始前までの原稿前送りでの原稿不送りや原稿前送りジャム発生の場合に、排版途中のマスタ処理、製版途中のマスタ処理、給版途中のマスタ処理および給紙途中の用紙処理のうちの少なくとも一つを無くすことにより、煩わしい作業を行わなくても済む印刷装置を提供することを第１の目的としている。
【００１２】
また、上述した問題点は、前記原稿読取装置を備えた複写装置やプリンタ等を含む画像形成装置でも十分に想定されるため、原稿画像の読み取り開始前までの原稿前送りでの原稿不送りや原稿前送りジャム発生の場合に、給紙途中の用紙処理を無くすことにより、煩わしい作業を行わなくても済む画像形成装置を提供することを第２の目的としている。
【００１３】
【課題を解決するための手段】
本願発明者は、上述した原稿搬送手段、画像読取部および原稿検知手段を有する原稿読取装置において、原稿不送りや原稿前送りジャムの発生要因としては、使用者による原稿搬送ローラ対（原稿搬送手段）のニップ部セット位置への原稿先端の突き当てセット時のセットミス、すなわち原稿先端部が折れ曲がった状態のままでセットしたり、前記ニップ部に対して原稿先端の突き当て量が不十分であったり、スキューした状態でセットしたりすることに起因するものが大半を占めているという事実を見出し、これに着目して前記課題に至り、本発明の完成に至った。
上述した課題を解決すると共に前記目的を達成するために、各請求項ごとの発明では以下の特徴的な手段・構成を採っている。
【００１４】
請求項１記載の発明は、セットされた原稿を搬送する原稿搬送手段と、該原稿搬送手段により搬送されてきた原稿の画像を読み取る画像読取部と、前記原稿搬送手段と該画像読取部との間に設けられ前記原稿搬送手段により搬送されてきた原稿の先端を検知する原稿検知手段と、製版済みマスタを巻装する版胴と、該版胴上の使用済みマスタを排版する排版手段、マスタを製版する製版手段、製版済みマスタを前記版胴に巻装する給版手段および前記版胴上の製版済みマスタに向けて用紙を給送する給紙手段のうちの少なくとも一つの手段とを具備し、前記画像読取部での画像読取動作と並行して、前記排版手段による排版動作、前記製版手段による製版動作、前記給版手段による給版動作および前記給紙手段による給紙動作のうちの少なくとも一つの動作が行われる印刷装置において、前記排版動作、前記製版動作、前記給版動作および前記給紙動作のうちの少なくとも一つの動作に先立って、前記原稿搬送手段を作動させて原稿を搬送し、前記原稿検知手段からの原稿先端の検知有無信号に基づいて、原稿先端が前記原稿検知手段により検知される位置まで搬送されたか否かを判断する制御手段を有することを特徴とする。
【００１５】
ここで、セットされた原稿を搬送する原稿搬送手段と、原稿搬送手段により搬送されてきた原稿の画像を読み取る画像読取部と、原稿搬送手段と画像読取部との間に設けられ原稿搬送手段により搬送されてきた原稿の先端を検知する原稿検知手段とは、原稿を移動・搬送させてその画像を読み取る原稿移動方式の原稿読取装置を構成している。画像読取部は、原稿の画像を読み取るための画像読取手段を備えている（請求項７の前段部分参照）。画像読取手段の具体例としては、画像読取素子としての例えばＣＩＳ（密着イメージセンサ）や、ＣＣＤ（電荷結合素子）からなる画像センサが挙げられる。
本発明は、前記画像読取手段としての画像読取素子側を固定し、この固定した画像読取素子に対して原稿を移動・搬送させて原稿の画像を取る原稿移動方式の全ての原稿読取装置に適用可能であり、いわゆる１枚の原稿のみをセットするとこれを自動的に搬送するＤＦ（ドキュメント　フィーダー）や、２枚以上（複数枚）の原稿をセットするとこれらを連続的かつ自動的に搬送するＡＤＦ（オート
ドキュメント　フィーダー）の何れにも適用可能である。
【００１６】
画像読取部での画像読取動作と並行して、排版手段による排版動作、製版手段による製版動作、給版手段による給版動作および給紙手段による給紙動作のうちの少なくとも一つの動作が行われる印刷装置とは、孔版印刷装置を含む印刷装置において、製版開始スイッチや製版スタートキー（起動手段）を押してから、排版動作、製版動作、給版動作、給紙動作（印刷動作）の一連の動作を経て最初の印刷物が排出されるまでの時間であるファースト・プリント・タイム（以下、「ＦＰＴ」と略記する）を短縮することを一つの目的としている印刷装置を意味している。
【００１７】
請求項１記載の発明においては、画像読取動作を起動するための起動手段（請求項２参照）は、必ずしも必要な構成ではない。例えば読み取るべき画像を持った原稿を原稿セット部（原稿載置台等）に載置・セットしたとき、該原稿セット部（原稿載置台等）にセットした原稿の有無を検知する原稿有無検知手段（例えば反射型の光学センサ等からなる）を有するものにあっては、原稿有無検知手段により原稿のセット有無を検知してから所定の時間経過した時（使用者の通常の原稿セット操作によってその原稿のセットが完了するような必要な時間経過後）に、セットされた原稿を自動搬送するような構成も含まれるからである。
【００１８】
請求項２記載の発明は、請求項１記載の印刷装置において、前記画像読取動作、前記排版動作、前記製版動作、前記給版動作および前記給紙動作のうちの少なくとも一つの動作を起動するための起動手段を有することを特徴とする。
【００１９】
請求項１または２記載の印刷装置においては、前記給紙手段を備えた複数の給紙装置を有する例えばバンク給紙装置や多段給紙装置を具備するものにあっては、該バンク給紙装置や多段給紙装置では用紙搬送経路が長くなるため、実際に印刷を行う印刷部近くまで給紙前送りを行う場合があり得る点を考慮して、前記給紙手段を備えた複数の給紙装置を有することを発明特定事項とした（請求項３記載の発明参照）。
【００２０】
請求項４記載の発明は、請求項１，２または３記載の印刷装置において、情報を報知する報知手段を有し、前記原稿搬送手段を作動させて原稿を搬送し、前記原稿検知手段をして原稿先端を検知させる時に、前記原稿検知手段が所定の時間内に原稿先端を検知しないとき、原稿が滞留していることを報知するように前記報知手段を制御する報知制御手段を有することを特徴とする。
ここで、報知手段には、表示して知らせる表示手段と、音や音声で知らせる手段とがある。表示手段の具体例としては、後述する実施形態で採用しているＬＣＤ（液晶表示装置）を用いた液晶表示部のガイダンス部や補助表示部があり、音や音声で知らせる手段としては、例えばブザー等がある。それ故に、報知手段としては、その目的・用途に併せて前記表示手段あるいは音や音声で知らせる手段から適宜選択したり、それらを適宜組み合わせて用いたりしてもよい。
【００２１】
請求項５記載の発明は、請求項１ないし４の何れか一つに記載の印刷装置において、前記制御手段は、前記原稿検知手段からの原稿先端の検知有り信号に基づいて、予め設定された搬送距離分だけ原稿を搬送するように前記原稿搬送手段を制御した後、原稿の搬送動作を所定の時間停止するように前記原稿搬送手段を制御することを特徴とする。
【００２２】
請求項６記載の発明は、請求項５記載の印刷装置において、前記画像読取部には、前記原稿搬送手段により搬送されてきた原稿の画像を所定の位置で読み取る読取位置が設定されており、原稿の搬送動作を前記所定の時間停止する位置は、前記読取位置よりも原稿先端が原稿搬送方向の上流側に搬送された位置であることを特徴とする。
【００２３】
請求項７記載の発明は、請求項６記載の印刷装置において、前記画像読取部は、前記原稿搬送手段により搬送されてきた原稿の画像を読み取るための画像読取手段を備えており、前記制御手段は、原稿の搬送動作を前記所定の時間停止するように前記原稿搬送手段を制御した後、原稿の搬送を開始するように前記原稿搬送手段を制御し、その後、原稿の画像の読み取りを前記読取位置で行うように前記画像読取手段を制御する動作と連動して、前記製版動作を行うように前記製版手段を制御することを特徴とする。
【００２４】
請求項８記載の発明では、セットされた原稿を搬送する原稿搬送手段と、該原稿搬送手段により搬送されてきた原稿の画像を読み取る画像読取部と、前記原稿搬送手段と該画像読取部との間に設けられ前記原稿搬送手段により搬送されてきた原稿の先端を検知する原稿検知手段と、製版済みマスタを巻装する版胴とを具備する印刷装置を使用し、前記画像読取部での画像読取動作と並行して、前記版胴上の使用済みマスタを排版する排版手段による排版動作、マスタを製版する製版手段による製版動作、製版済みマスタを前記版胴に巻装する給版手段による給版動作および前記版胴上の製版済みマスタに向けて用紙を給送する給紙手段による給紙動作のうちの少なくとも一つの動作を行う印刷方法において、前記排版動作、前記製版動作、前記給版動作および前記給紙動作のうちの少なくとも一つの動作に先立って、前記原稿搬送手段を作動させて原稿を搬送し、前記原稿検知手段からの原稿先端の検知有無信号に基づいて、原稿先端が前記原稿検知手段により検知される位置まで搬送されたか否かを判断することを特徴とする。
【００２５】
請求項９記載の発明では、請求項８記載の印刷方法において、前記画像読取動作、前記排版動作、前記製版動作、前記給版動作および前記給紙動作のうちの少なくとも一つの動作を起動するための起動手段を使用することを特徴とする。
【００２６】
請求項８または９記載の印刷方法において、給紙手段を備えた複数の給紙装置を有する例えばバンク給紙装置や多段給紙装置を具備する印刷装置を使用する場合にあっては、該バンク給紙装置や多段給紙装置では用紙搬送経路が長くなるため、実際に印刷を行う印刷部近くまで給紙前送りを行う場合があり得る点を考慮して、前記給紙手段を備えた複数の給紙装置を使用することを発明特定事項とした（請求項１０記載の発明参照）。
【００２７】
請求項１１記載の発明では、請求項８，９または１０記載の印刷方法において、前記原稿搬送手段を作動させて原稿を搬送し、前記原稿検知手段をして原稿先端を検知させる時に、前記原稿検知手段が所定の時間内に原稿先端を検知しないとき、情報を報知する報知手段をして原稿が滞留していることを報知させることを特徴とする。
【００２８】
請求項１２記載の発明では、請求項８ないし１１の何れか一つに記載の印刷方法において、前記原稿検知手段からの原稿先端の検知有り信号に基づいて、前記原稿搬送手段をして予め設定された搬送距離分だけ原稿を搬送させた後、原稿の搬送動作を所定の時間停止させることを特徴とする。
【００２９】
請求項１３記載の発明では、請求項１２記載の印刷方法において、前記画像読取部には、前記原稿搬送手段により搬送されてきた原稿の画像を所定の位置で読み取る読取位置が設定されており、原稿の搬送動作を前記所定の時間停止する位置は、前記読取位置よりも原稿先端が原稿搬送方向の上流側に搬送された位置であることを特徴とする。
【００３０】
請求項１４記載の発明では、請求項１３記載の印刷方法において、前記画像読取部に備えられ前記原稿搬送手段により搬送されてきた原稿の画像を読み取るための画像読取手段を使用し、前記原稿搬送手段をして原稿の搬送動作を前記所定の時間停止させた後、原稿の搬送を再び開始させ、その後、前記画像読取手段をして原稿の画像の読み取りを前記読取位置で行わせる動作と連動して、前記製版手段をして前記製版動作を行わせることを特徴とする。
【００３１】
【発明の実施の形態】
以下、図を参照して実施例を含む本発明の実施の形態（以下「実施形態」という）を説明する。各実施形態等に亘り、同一の機能および形状等を有する部材や構成部品等の構成要素については、同一符号を付すことにより一度説明した後ではその説明を省略する。図において一対で構成されていて特別に区別して説明する必要がない構成要素は、説明の簡明化を図る上から、その片方を適宜記載することでその説明に代えるものとする。また、図および説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００３２】
（実施形態１）
まず、図１を参照して、本発明の第１の実施形態（以下、「実施形態１」という）を適用した印刷装置の一例としての製版印刷一体型のデジタル感熱式孔版印刷装置１（以下、「孔版印刷装置１」という）の全体構成について説明する。
孔版印刷装置１は、図１に示すように、同図１の右側上方に配置されロール状に巻かれたマスタ８ａを製版し移送する製版手段４、後述する切断手段５、マスタ搬送手段６およびマスタ送り出し手段７等を具備した製版・給版装置とも呼ばれる製版書込装置３と、製版書込装置３、後述する給版・ドラム装置３２および排版装置６２が配置された孔版印刷装置本体の上部に配置され原稿載置台１０上から自動的に移送される原稿の画像を読み取る原稿読取装置９と、図１における略中央部に配置され製版されたマスタ８ｂ（以下、「製版済みマスタ８ｂ」という）を外周面に巻装する版胴を外周部に備えた印刷ドラム３３およびこの印刷ドラム３３の前記版胴外周面（以下、単に「印刷ドラム３３の外周面」という）に対して接離自在であり該印刷ドラム３３上の製版済みマスタ８ｂに用紙Ｐを押し付ける押圧手段としてのプレスローラ５４等を有する給版・ドラム装置３２と、製版書込装置３の下方に配置され給紙台としての給紙トレイ４８上の用紙Ｐを印刷ドラム３３とプレスローラ５４との間に向けて給送する給紙装置４７と、印刷ドラム３３を挟んで製版書込装置３に対向して配置され印刷ドラム３３上の使用済みマスタ８ｃを剥離・排版する排版装置６２と、この排版装置６２の下方に配置され印刷された用紙Ｐを印刷ドラム３３から剥離して排紙台としての排紙トレイ６１に排出する排紙装置５６と、前記各装置に指示を与えて所望する動作を行わせるように操作するための図８に示す操作パネル９０と、図９に示す制御装置１００とから主に構成されている。
【００３３】
孔版印刷装置１の構成は、後で詳細に説明するとおり、制御装置１００を除き、全て周知のものである。それ故に、実施形態１では、従来の制御装置の制御構成を少し変更するというだけで、後述する効果を奏することができるものである。したがって、制御装置１００を除き、前記各装置構成に代えて、現在まで周知で同様の機能を有する装置構成で置き換えても勿論構わない。
【００３４】
製版書込装置３は、図１において矢印で示すマスタ搬送方向Ｘ１の上流側から下流側に配設された順に、マスタ８ａをマスタ搬送方向Ｘ１に繰り出し可能に支持するマスタ支持手段としてのマスタ支持部材２１と、繰り出されたマスタ８ａを画像情報に応じて加熱製版するための、製版手段４を構成するサーマルヘッド２２と、サーマルヘッド２２にマスタ８ａを押圧しながらマスタ搬送方向Ｘ１下流側にマスタ８ａを回転しながら搬送するための、製版手段４を構成するプラテンローラ２３と、製版手段４とマスタ搬送手段６との間に配設され製版済みマスタ８ｂまたは未製版のマスタ８ａを所定の長さに切断する切断手段５と、プラテンローラ２３により搬送されてきたマスタ８ａを適度の張力を付与しながらさらにマスタ搬送方向Ｘ１下流側に搬送するマスタ搬送手段６と、マスタ搬送手段６とマスタ送り出し手段７との間に配設されマスタ搬送手段６により搬送されてきたマスタ８ａをマスタ送り出し手段７に案内するガイド板２９と、プラテンローラ２３およびマスタ搬送手段６により搬送されてきたマスタ８ａを後述するように印刷ドラム３３上の拡開したクランパ３５に向けて送り出すマスタ送り出し手段７と、マスタ送り出し手段７により送り出されたマスタ８ａの先端を後述するように印刷ドラム３３上の拡開したクランパ３５に案内する一対のマスタガイド板２８とを具備している。
【００３５】
マスタ８ａは、連続シート状をなし、例えば合成樹脂製のロール芯８ｄに巻き付けられてマスタロール８が形成される。ロール芯８ｄは、マスタロール８の両端面から突出していてマスタ８ａの幅よりも長く形成されている。マスタロール８は、両端側のロール芯８ｄがマスタ支持部材２１により反時計回りに回転自在に支持されていて、マスタ支持部材２１に対して着脱自在となっている。両端側のマスタ支持部材２１は、製版書込装置３におけるマスタ搬送方向Ｘ１に沿ってその左右両側に固設されている図示しない製版側板対に取り付け固定されている。したがって、マスタ８ａは、マスタ支持部材２１によって、マスタロール８からマスタ搬送方向Ｘ１に繰り出し可能に支持されている。
【００３６】
マスタ８ａは、例えば厚さが１〜５μｍの熱可塑性樹脂フィルムと、合成繊維等からなる多孔質支持体とを貼り合わせたラミネート構造をなす。なお、マスタは、これに限らず、例えば和紙繊維、あるいは和紙繊維および合成繊維を混抄したもの等からなる多孔質支持体と熱可塑性樹脂フィルムとを貼り合わせたものや、いわゆる実質的に熱可塑性樹脂フィルムのみからなるマスタ等も用いられる。
【００３７】
サーマルヘッド２２は、プラテンローラ２３のプラテンローラ軸と図１の紙面の手前側および奥側に平行に延在して設けられていて、図示しないカムおよび付勢手段としてのバネ部材等を備えた接離手段（図示せず）により、マスタ８ａを介してプラテンローラ２３に接離自在となっている。サーマルヘッド２２は、前記バネ部材によりプラテンローラ２３に接触する向きに付勢されている。サーマルヘッド２２の主走査方向には、プラテンローラ２３にマスタ８ａを介して当接する部位に多数の発熱素子（図示せず）が配設されている。サーマルヘッド２２は、共に図示しないＡ／Ｄ変換部および画像信号処理部等を経て、製版制御部およびサーマルヘッド駆動回路（共に図示せず）で処理されて送出されるデジタル画像信号に基づき前記発熱素子を選択的に加熱することにより、マスタ８ａを選択的に溶融穿孔して製版を行い、製版済みマスタ８ｂを形成する。
【００３８】
プラテンローラ２３は、例えば金属製の芯金を介してプラテンローラ軸と一体的に形成されている。プラテンローラ２３は、プラテンローラ軸の両端部が前記製版側板対に回転可能に支持されていることにより、時計回りに回転自在となっている。プラテンローラ２３は、タイミングベルトやギヤ等の回転伝達手段（図示せず）を介して駆動手段としての例えば図示しない第１のステッピングモータに連結され、これにより時計回りに回転駆動され、マスタ８ａをサーマルヘッド２２に押圧しつつマスタ搬送方向Ｘ１の下流側へと搬送する。
前記のとおり、プラテンローラ２３が第１のステッピングモータにより時計回りに回転駆動されることにより、マスタ８ａはマスタロール８から引き出されることとなる。
【００３９】
切断手段５は、可動刃２４、固定刃２５からなる。この切断手段５は、可動刃２４がマスタ搬送方向Ｘ１と直行するマスタ幅方向（図１の紙面の奥側から手前側）に回転しながら移動して未製版のマスタ８ａや製版済みマスタ８ｂを切断する可動刃回転移動タイプのものである。
なお、切断手段５は、前記可動刃回転移動タイプのものに限らず、可動刃が昇降するいわゆるギロチンタイプのもの等を用いてもよい。
【００４０】
マスタ搬送手段６は、搬送駆動ローラ３０と搬送従動ローラ３１とから構成されている。搬送駆動ローラ３０および搬送従動ローラ３１は、バネ等の付勢手段により適度な押圧力を与えられて互いに圧接して設けられていて、各ローラ軸の両端部が前記製版側板対に回転自在に支持されていることにより互いに反対方向に回転自在となっている。搬送駆動ローラ３０は、例えばタイミングベルトやギヤ等の回転伝達手段（図示せず）を介して、パルス入力で駆動するモータとしての第１のステッピングモータに連結されていて、第１のステッピングモータにより回転駆動される。搬送従動ローラ３１は、搬送駆動ローラ３０と連れ回り、従動回転する。
搬送駆動ローラ３０は、第１のステッピングモータを含む前記回転伝達手段によって、プラテンローラ２３の周速度（搬送速度）よりもわずかに速い周速度（搬送速度）で回転するように設定されていて、マスタ８ａとの間で滑りながら適度のフロントテンションをマスタ８ａに付与するようになっている。第１のステッピングモータを介してのプラテンローラ２３およびマスタ搬送手段６周りの駆動系は、例えば本願出願人が提案した特開平１１−７７９４９号公報の図２に示されている回転伝達機構と略同様の機構を採用している。
【００４１】
マスタ送り出し手段７は、送り出し駆動ローラ２６と送り出し従動ローラ２７とから構成されている。送り出し駆動ローラ２６および送り出し従動ローラ２７も、前記各ローラ３０，３１と同様にバネ等の付勢手段により適度な押圧力を与えられて互いに圧接して設けられていて、各ローラ軸の両端部が前記製版側板対に回転自在に支持されていることにより互いに反対方向に回転自在となっている。送り出し駆動ローラ２６は、図示しない駆動手段としての例えばタイミングベルトやギヤ等の回転伝達手段（図示せず）を介して、パルス入力で駆動するモータとしての第１のステッピングモータとは別の第２のステッピングモータに連結されていて、第２のステッピングモータにより回転駆動される。送り出し従動ローラ２７は、送り出し駆動ローラ２６と連れ回り、従動回転する。
【００４２】
マスタガイド板２８およびガイド板２９は、前記製版側板対に取り付け・固定されている。
プラテンローラ２３とマスタ搬送手段６との間、およびマスタ搬送手段６とマスタ送り出し手段７との間のマスタ搬送路上には、搬送されてくるマスタ８ａの先端等を検知するためのマスタ検知手段がそれぞれ配設されている。これらのマスタ検知手段としては、例えば本願出願人が提案した特開平９−２２６０８８号公報の図１等に記載されている反射型の光学センサからなるマスタ先端検知センサ（６３（６３Ｂ，６３Ｃ））と同様であり、前記各マスタ搬送路上でマスタ搬送ジャム等で滞留しているマスタ８ａを検出するための機能も有する。
【００４３】
図９において、サーマルヘッド駆動回路（図示せず）によって駆動されるサーマルヘッド２２、モータ駆動回路（図示せず）を介して駆動される第１のステッピングモータを含む製版書込装置３の制御対象駆動手段を総括的に製版駆動手段７６とする。第２のステッピングモータは、後述する給版手段および給版装置の制御対象駆動手段であることから図９に示す給版・ドラム装置３２に含めるものとする。
なお、製版装置は、製版書込装置３に限らず、例えば、マスタ送り出し手段７を駆動する駆動手段としての第２のステッピングモータに代えて、第１のステッピングモータを図示しない回転伝達手段を介してマスタ送り出し手段７に連結すると共に、第１のステッピングモータの回転駆動力を断接する断接手段としての電磁クラッチ等を送り出し駆動ローラ２６の軸部に設けるようにしてもよい。
【００４４】
原稿読取装置９は、図１において矢印で示す原稿搬送方向Ｘ２の上流側から下流側に配設された順に、複数枚の原稿２０（図１では図示せず、図２等参照）を載置するための原稿載置台１０と、原稿載置台１０上に載置・セットされた原稿２０を原稿搬送方向Ｘ２に搬送する原稿搬送手段を構成する原稿搬送ローラ１１および原稿搬送コロ１２と、前記原稿搬送手段と後述する画像読取部１９との間に設けられ原稿搬送ローラ１１および原稿搬送コロ１２により搬送されてきた原稿２０の先端（以下、「原稿２０先端」という）を検知する原稿検知手段としての原稿先端検知センサ１３と、原稿搬送ローラ１１および原稿搬送コロ１２により搬送されてきた原稿２０の画像を読み取るための画像読取手段としてのＣＩＳ（密着イメージセンサ）１４を備えた画像読取部１９と、原稿搬送路を挟んでＣＩＳ１４の上方に配置された圧板（白基準板）１５と、画像が読み取られた原稿２０をさらに原稿搬送方向Ｘ２に搬送・排出する原稿排紙ローラ１６および原稿排紙コロ１７と、排出されてきた原稿２０を載置・積載する原稿受け台１８とを具備している。
【００４５】
原稿載置台１０の紙面の奥側および手前側には、原稿載置台１０上に積載された原稿２０の両側端を揃えるための図示しない一対のサイドフェンスが原稿搬送方向Ｘ２と直交する原稿幅方向に移動可能に配設されている。原稿載置台１０と、原稿搬送ローラ１１と原稿搬送コロ１２とが圧接することにより形成されたニップ部と、前記サイドフェンス対とで、上下方向、原稿搬送方向Ｘ２および前記原稿幅方向に原稿２０を３次元的に位置決め・セットするための原稿セット部が構成されている。
【００４６】
原稿搬送ローラ１１および原稿搬送コロ１２は、バネ等の付勢手段により適度な押圧力を与えられて互いに圧接して設けられていて、各ローラ軸の両端部が原稿読取装置９における原稿搬送方向Ｘ２に沿ってその左右両側に固設されている図示しない読取側板対に回転自在に支持されていることにより互いに反対方向に回転自在となっている。原稿搬送ローラ１１は、例えばタイミングベルトやギヤ等の回転伝達手段（図示せず）を介して原稿搬送ローラ用のステッピングモータ１１Ａに連結されていて、ステッピングモータ１１Ａにより回転駆動される。原稿搬送コロ１２は、原稿搬送ローラ１１と連れ回り、従動回転する。
【００４７】
原稿先端検知センサ１３は、反射型の光学センサからなる。ＣＩＳ１４において上向き矢印で示す位置は、原稿搬送ローラ１１および原稿搬送コロ１２により搬送されてきた原稿２０の画像を前記位置で読取り開始するための読取位置１４Ａを示す。圧板（白基準板）１５は、光学的な補正を行う機能を有する。
【００４８】
原稿排紙ローラ１６および原稿排紙コロ１７は、バネ等の付勢手段により適度な押圧力を与えられて互いに圧接して設けられていて、各ローラ軸の両端部が前記読取側板対に回転自在に支持されていることにより互いに反対方向に回転自在となっている。原稿排紙ローラ１６は、例えばタイミングベルトやギヤ等の回転伝達手段（図示せず）を介して、パルス入力で駆動するモータとしての原稿搬送ローラ用のステッピングモータ１１Ａに連結されていて、ステッピングモータ１１Ａにより回転駆動される。原稿排紙コロ１７は、原稿排紙ローラ１６と連れ回り、従動回転する。
図９において、モータ駆動回路（図示せず）によって駆動されるステッピングモータ１１Ａを含む原稿読取装置９の制御対象駆動手段を総括的に読取駆動手段７４とする。
【００４９】
給版・ドラム装置３２は、前記した印刷ドラム３３と、マスタ送り手段７によって送り出されてきた製版済みマスタ８ｂの先端部を挟持・係止する係止手段としてのクランパ３５と、印刷ドラム３３の内部に配設され該印刷ドラム３３の内周側から印刷ドラム３３上の製版済みマスタ８ｂにインキを供給するインキ供給手段３６と、前記したプレスローラ５４とを具備している。
【００５０】
印刷ドラム３３の外周部は、多孔性で円筒状の版胴とも呼ばれる支持円筒体と、その支持円筒体の外周を覆うように複数層巻き付けられた樹脂あるいは金属網体製のメッシュスクリーン（図示せず）との２層構造からなる。印刷ドラム３３は、インキ通過性の多数の開孔が開けられた印刷可能な開口部と、クランパ３５等が設けられていて非印刷可能な非開口部とが、図１中矢印で示す印刷ドラム３３の回転方向に沿って形成されている。
印刷ドラム３３の前記外周部は、図示しない両側の端板フランジの外周部に巻着・固定されていて、後述するインキパイプ３４を兼ねる支軸３４の周りに回転自在に支持されている。支軸３４は、図１の紙面の奥側および手前側において孔版印刷装置本体に固設された図示しない一対の筐体側板に着脱可能に支持されている。印刷ドラム３３は、図示しないギヤやベルト等の駆動伝達手段を介して駆動手段としての例えば図示しないメインモータに連結されていて、前記メインモータにより図１中矢印で示す時計回りに回転駆動される。前記メインモータとしては、例えば制御用のＤＣモータが使用される。
【００５１】
印刷ドラム３３の内部には、支軸３４に固定された図示しない側板に回転自在に支持されていて、図示しないギヤ等の駆動伝達手段により前記メインモータの回転駆動力が伝達されて印刷ドラム３３と同期して図１中時計回りに回転駆動され、印刷ドラム３３の前記支持円筒体内周面（以下、単に「印刷ドラム３３の内周面」という）に接触してインキを供給するインキローラ３７と、インキローラ３７とわずかな間隙を置いて平行に配置されインキローラ３７との間に断面楔状のインキ溜まり３９を形成するドクターローラ３８と、インキ溜まり３９へインキを供給するインキパイプ３４とが配置されている。前記のとおり、インキ供給手段３６は、インキローラ３７、ドクターローラ３８およびインキパイプ３４から主に構成されている。
【００５２】
インキ溜まり３９のインキは、印刷ドラム３３の外部に設けられた図示しないインキパック等より図示しないインキポンプで吸引され、インキパイプ３４の供給孔より供給されて混練される。インキ溜まり３９のインキは、ドクターローラ３８により計量されながらインキローラ３７の外周面上に薄膜状に供給され、さらにインキローラ３７の外周面が印刷ドラム３３の内周面に接触することにより印刷ドラム３３の前記開口部部分に供給される。
【００５３】
印刷ドラム３３の前記非開口部外周面上の一部分には、印刷ドラム３３の一つの母線に沿って設けられた強磁性体製のステージ（図示せず）と、このステージの両側端に設けられた軸３５ａに回動自在に取り付けられ、前記ステージの平面部に対して開閉自在なゴム磁石を有するクランパ３５とがそれぞれ設けられている。クランパ３５は、孔版印刷装置本体側の前記筐体側板に設けられクランパ３５を開閉駆動する図示しないクランパモータを備えた開閉手段（共に図示せず）により印刷ドラム３３の所定の回転位置において開閉される。印刷ドラム３３は、クランパ３５が図１に示す略右横に位置する状態、すなわち給版待機位置において停止するようになっている。
前記開閉手段の具体例としては、クランパ３５に選択的に係合する開閉部材（図示せず）およびこの開閉部材を駆動するクランパモータ（１８）等を備えた、例えば特開平６−２４７０３１号公報の図１ないし図３に示されている構成と同様のものが挙げられる。
【００５４】
プレスローラ５４は、金属製のプレスローラ軸に耐油性を有するゴム等の弾性体を一体的に固着して構成されており、印刷ドラム３３の軸方向に延在して設けられている。プレスローラ５４は、その横幅が印刷ドラム３３の横幅と略同じ長さとなるように形成されている。プレスローラ５４は、紙面の手前側および奥側において略同様の形状および同一の位相をもって配設された一対の印圧アーム（図示せず）の一端部に回転自在に支持されている。前記印圧アーム対は、前記筐体側板対に所定角度回動自在に支持された印圧アーム軸（図示せず）に固着されていて、図示しない接離手段で揺動される。
プレスローラ５４は、前記接離手段によって、印刷ドラム３３の外周面に圧接する印刷位置とこの印刷位置から離れた非印刷位置との間で変位される。前記接離手段は、印刷ドラム３３の回転と同期して回転する印圧カムおよび付勢手段としての引張バネ等（図示せず）を備えた周知の構成を具備している。
【００５５】
上述したとおり、製版済みマスタ８ｂを印刷ドラム３３の外周面に巻装する給版手段は、前記したマスタ送り出し手段７、これを駆動する第２のステッピングモータ、クランパ３５を備えた印刷ドラム３３、これらをそれぞれ駆動する前記クランパモータ、前記メインモータから主に構成される。
図９において、モータ駆動回路（図示せず）を介して駆動される前記した第２のステッピングモータ、モータ駆動回路（図示せず）を介して駆動される前記メインモータ、モータ駆動回路（図示せず）を介して駆動される前記クランパモータ等を含む給版・ドラム装置３２の制御対象駆動手段を総括的に給版・ドラム駆動手段７９とする。
【００５６】
給紙装置４７は、用紙Ｐを繰り出し可能に積載して昇降自在な前記した給紙トレイ４８と、給紙トレイ４８上に積載された用紙Ｐに接触して１枚ずつ分離してレジストローラ対５１のニップ部に向けて給送する給紙手段４６と、給紙手段４６により搬送されてきた１枚の用紙Ｐの先端を受け止めその先端部に所定のたわみを形成した後、印刷ドラム３３とプレスローラ５４との間にタイミングを取って給送するレジスト手段としてのレジストローラ対５１と、分離ローラ５０とレジストローラ対５１との間に用紙搬送路を形成すべく設けられ給紙ローラ４９および分離ローラ５０やレジストローラ対５１により給送された用紙Ｐを用紙搬送方向Ｘに案内する上下一対のガイド板５２，５３とを具備している。
【００５７】
給紙トレイ４８は、給紙トレイ４８を上下動させる図示しない駆動手段としての給紙トレイ昇降モータおよびワイヤ式昇降機構等を備えた駆動装置（図示せず）により、積載された用紙Ｐの最上位が常に給紙ローラ４９に所定の押圧力（用紙Ｐが搬送可能な押圧力）をもって接触するように、すなわち用紙Ｐの増減に連動して用紙Ｐが搬送可能な範囲の押圧力で接触する状態を保持しつつ昇降される。給紙トレイ４８には、用紙サイズに応じて用紙Ｐの両側端を位置決め揃えるための一対のサイドフェンス（図示せず）が用紙幅方向Ｙに移動自在に配設されている。
【００５８】
給紙手段４６は、給紙トレイ４８上の最上位の用紙Ｐに接触してレジストローラ対５１のニップ部に向けて用紙Ｐを送り出す給紙ローラ４９と、給紙ローラ４９から送り出された用紙Ｐを分離部材５０Ａとの協働作用により１枚ずつ分離してレジストローラ対５１のニップ部に向けて給送する分離ローラ５０とから構成されている。
給紙ローラ４９は、給紙ローラ軸と一体的に形成されていて、該給紙ローラ軸の一端部が給紙装置４７における用紙搬送方向Ｘの左右（図１の紙面の奥側および手前側）に固設された給紙側板対の一方に回転自在に支持されている。給紙ローラ４９の表面は、少なくともゴム等の高摩擦抵抗部材で形成されている。給紙ローラ軸の一端部には、歯付きの給紙ローラプーリ（図示せず）が取り付けられている。前記給紙ローラ軸と前記給紙ローラプーリとの間には、用紙搬送方向Ｘにのみ用紙Ｐを搬送するように給紙ローラ４９を回転させる、つまり時計回りにのみ回転させるためのワンウェイクラッチ（図示せず）が配設されている。
【００５９】
分離ローラ５０は、分離ローラ軸と一体的に形成されていて、該分離ローラ軸の一端部が給紙側板対の一方に回転自在に支持されている。分離ローラ５０の表面は、少なくともゴム等の高摩擦抵抗部材で形成されている。分離ローラ軸の一端部には、歯付きの分離ローラプーリ（図示せず）が取り付けられている。前記分離ローラ軸と前記分離ローラプーリとの間には、用紙搬送方向Ｘにのみ用紙Ｐを搬送するように給紙ローラ４９を回転させるためのワンウェイクラッチ（図示せず）が配設されている。前記分離ローラプーリと前記給紙ローラプーリとの間には、歯付きのベルトが掛け渡されていて、分離ローラ５０と給紙ローラ４９とは、回転駆動力伝達関係にある。
【００６０】
分離部材５０Ａは、用紙Ｐに対する摩擦係数の高いゴムや樹脂で形成され給紙ローラ４９に当接可能となっている分離パッドと呼ばれる部材を有している。この分離パッドは、付勢手段としての図示しない圧縮バネにより分離ローラ５０に押し付けられる向きに付勢されている。
前記分離ローラプーリの近傍には、分離ローラ５０および給紙ローラ４９を回転駆動する給紙駆動手段としての給紙モータ（図示せず）が前記給紙側板に固定して設けられている。前記給紙モータは、パルス入力で駆動するモータとしての例えばステッピングモータからなり、その出力軸には歯付きの給紙モータプーリ（図示せず）が固設されている。前記分離ローラプーリと前記給紙モータプーリとの間には、歯付きの給紙モータベルト（図示せず）が掛け渡されている。これにより、分離ローラ５０と給紙ローラ４９と前記給紙モータとは、前記給紙モータベルト、前記ベルトおよびを前記各ワンウェイクラッチを介して回転駆動力伝達関係にある。
【００６１】
上側および下側の各ジストローラ５１は、各レジストローラ軸と一体的に形成されていて、各レジストローラ軸の両端部が前記給紙側板対に回転自在に支持されている。下側のレジストローラ軸の一端部には、歯付きのレジストローラプーリ（図示せず）が取り付けられている。
下側のレジストローラ５１は、前記レジストローラ軸を介して、前記給紙側板に移動不能にかつ回転自在に支持されている。上側のレジストローラ５１は、下側のレジストローラ５１に対して所定のタイミングで当接するように図示しないレジストローラ接離手段を介して接離自在に設けられている。
【００６２】
下側のレジストローラ５１の下方には、下側のレジストローラ５１を回転駆動するレジスト駆動手段としてのレジストモータ（図示せず）が前記給紙側板に固定して設けられている。前記レジストモータは、パルス入力で駆動するモータとしての例えばステッピングモータからなり、その出力軸には歯付きのレジストモータプーリ（図示せず）が固設されている。前記レジストローラプーリと前記レジストモータプーリとの間には、歯付きのレジストモータベルト（図示せず）が掛け渡されている。これにより、下側のレジストローラ５１と前記レジストモータとは前記レジストモータベルトを介して回転駆動力伝達関係にある。
【００６３】
図９において、前記給紙トレイ昇降モータ、前記給紙モータ、前記レジストモータ等を含む給紙装置４７の制御対象駆動手段を総括的に給紙駆動手段７７とする。
なお、給紙ローラ４９や分離ローラ５０を回転駆動する給紙駆動手段は、前記給紙モータ等に限らず、前記メインモータからの回転駆動力をギヤやカム等の図示しない駆動力伝達手段によって給紙ローラ４９に伝達されることで、印刷ドラム３３と同期した所定のタイミングで回転駆動されるように構成してもよい。同様に、レジストローラ対５１を回転駆動するレジスト駆動手段は、前記レジストモータ等に限らず、前記メインモータからの回転駆動力をギヤやカム等の図示しない駆動力伝達手段によって伝達されることで、駆動ローラとしての下側のレジストローラ５１が印刷ドラム３３と同期した所定のタイミングで回転し、下側のレジストローラ５１に圧接された従動ローラとしての上側のレジストローラ５１とによって、印刷ドラム３３とプレスローラ５４との間に向けて用紙Ｐを所定のタイミングで給送するように構成してもよい。
【００６４】
排版装置６２は、上部排版部材６３、下部排版部材６４、排版ボックス６５等を具備している。
上部排版部材６３は、駆動手段としての図示しない排版モータで回転駆動される駆動ローラ６７と従動ローラ６８、および各ローラ６７，６８間に掛け渡された無端ベルトからなるゴムベルト６９とから構成されている。駆動ローラ６７は、排版駆動手段としての図示しない排版モータによって図１の時計回りに回転駆動されることにより、ゴムベルト６９が図１の矢印方向に回転移動する。下部排版部材６４は、駆動ローラ６７と図示しないギヤによって連結され回転駆動される駆動ローラ７０と従動ローラ７１、および各ローラ７０，７１間に掛け渡された無端ベルトからなるゴムベルト７２とから構成されている。駆動ローラ７０は、前記排版モータを介して駆動ローラ６７と図示しないギヤによって連結され回転駆動されることにより、ゴムベルト７２が図１の矢印方向に回転移動する。
【００６５】
下部排版部材６４は、駆動ローラ６７の中心軸を中心に左右方向に移動自在となっており、駆動手段としての周知の移動手段（共に図示せず）で前記した左右方向に移動される。これにより、下部排版部材６４における駆動ローラ７０側のゴムベルト７２は、図１に示す位置と印刷ドラム３３の外周面に当接する位置とを選択的に占めることとなる。
【００６６】
排版ボックス６５は、その内部に使用済みマスタを貯容するものであり、前記筐体側板対に対して着脱自在に設けられている。排版ボックス６５には、上部排版部材６３と下部排版部材６４とによって運ばれた使用済みマスタを排版ボックス６５の内部に押し込むための周知の往復揺動運動タイプの圧縮板（図示せず）が設けられている。前記圧縮板は、駆動手段としての正逆転可能な排版圧縮モータ（共に図示せず）により往復揺動される。排版圧縮モータは、例えばパルス入力で駆動するモータとしてのステッピングモータからなる。
【００６７】
上述のとおり、印刷ドラム３３上の使用済みマスタ８ｃを排版する排版手段は、上部排版部材６３、下部排版部材６４、前記移動手段、前記排版モータから主に構成される。
図９において、前記排版モータ、前記移動手段、前記排版圧縮モータを含む排版装置６２の制御対象駆動手段を総括的に排版駆動手段７５とする。
【００６８】
排紙装置５６は、印刷ドラム３３の外周面に近接自在に設けられ印刷ドラム３３の外周面より印刷済み用紙を剥離する剥離爪５５と、剥離爪５５で剥離された印刷済み用紙を吸引しつつ搬送するための排紙搬送手段と、前記した排紙トレイ６１とを具備している。
【００６９】
剥離爪５５は、印刷ドラム３３の外周面にプレスローラ５４が圧接することにより形成される印刷ニップ部における下流近傍に設けられている。剥離爪５５は、印刷ドラム３３の回転と同期して回転駆動されるカムおよびバネ等を具備した周知の剥離爪変位手段（図示せず）により、印刷ドラム３３の外周面に近接して印刷ドラム３３上の製版済みマスタ８ｂから印刷済み用紙を強制的に剥離する剥離位置と、この剥離位置から離間して印刷ドラム３３の外周面から突出したクランパ３５配置部との接触を避ける非剥離位置との間で変位自在に構成されている。
【００７０】
前記排紙搬送手段は、従動ローラ５７、駆動ローラ５８、無端ベルト５９、吸引ファン６０等から主に構成されている。
従動ローラ５７と駆動ローラ５８とは、前記筐体側板対に回転自在に支持されており、各ローラ間５７，５８には、表面に複数の開孔を有する無端ベルト５９が掛け渡されている。駆動ローラ５８は、駆動手段としての図示しない排紙モータで回転駆動され、この回転力は無端ベルト５９を介して従動ローラ５７に伝達される。各ローラ５７，５８の間の下方近傍に配設されたケーシングの内部には、図示しないファン駆動モータを内蔵された吸引ファン６０が配設されている。吸引ファン６０は、その回転により図において下向きの空気流を発生させ、無端ベルト５９の表面に印刷済み用紙を吸引する。
【００７１】
図９において、モータ駆動回路（図示せず）を介して駆動される前記排紙モータ、モータ駆動回路（図示せず）を介して駆動される前記排紙搬送手段のファン駆動モータ等を含む排紙装置５６の制御対象駆動手段を総括的に排紙駆動手段７８とする。
【００７２】
図８を参照して、操作パネル９０を説明する。
操作パネル９０は、原稿読取装置９の上部の一側部に配設されている。操作パネル９０には、図８に示すように、原稿２０の画像読取から排版、製版、給版、版付け印刷、排紙の各工程に至るまでの一連の工程（動作）を起動するための、すなわち画像読取動作から排版動作、製版動作、給版動作、版付け印刷または通常の印刷動作、排紙動作のうちの少なくとも一つの動作を起動・設定するための起動手段としての製版スタートキー９１と、印刷枚数等を入力・設定するためのテンキー９３と、このテンキー９３で置数（入力・設定）された印刷枚数分の印刷動作の起動・設定等を行うための印刷スタートキー９２と、各種情報を表示（報知）する表示手段（報知手段）としての液晶表示部９５等とが配置されている。
【００７３】
液晶表示部９５は、ＬＣＤ（液晶表示装置）で構成されており、図示しない液晶駆動回路を介して駆動される。液晶表示部９５は、使用者の行うべき操作を知らせたり、その操作結果に対して各種警告をしたり、原稿２０が滞留している状態にあることや、使用済みマスタ８ｃが滞留している状態にあることや、あるいは製版済みマスタ８ｂが滞留している状態にあること等を適宜文字表示したりするガイダンス部９５Ａと、このガイダンス部９５Ａにより文字表示される操作内容を順次図示表示したり、原稿２０が滞留している状態にあることや、使用済みマスタ８ｃが滞留している状態にあることや、あるいは製版済みマスタ８ｂが滞留している状態にあること等をその滞留位置を含めて具体的に絵で表示するための補助表示部９５Ｂとを有する。
【００７４】
ここで、原稿２０が滞留している状態にあることには、原稿の不送りや原稿搬送ジャム等の原稿前送りジャムが含まれる。同様に、使用済みマスタ８ｃが滞留している状態にあることには、使用済みマスタの不送りや使用済みマスタ搬送ジャム等が含まれる。また、製版済みマスタ８ｂが滞留している状態にあることには、製版済みマスタの不送りや製版済みマスタ搬送ジャム等が含まれる。
【００７５】
図９を参照して、孔版印刷装置１の主たる制御構成を説明する。
図９において、制御装置１００は、孔版印刷装置１の原稿読取動作、排版動作、製版動作、給紙動作、印刷動作および排紙動作を制御する制御手段としての機能・構成を有する。制御装置１００は、ＣＰＵ１０１（中央演算処理装置）、図示しないＩ／Ｏ（入出力）ポート、ＲＯＭ１０２（読み出し専用記憶装置）、ＲＡＭ１０３（読み書き可能な記憶装置）および図示しない電池付きのタイマ等を備え、それらが図示しない信号バスによって接続された構成を有するマイクロコンピュータを具備している。
【００７６】
制御装置１００は、孔版印刷装置１内の図示しない制御基板配置部に設けられている。制御装置１００のＣＰＵ１０１（以下、説明の簡明化を図るため、単に「制御装置１００」というときがある）は、操作パネル９０からの各種信号および孔版印刷装置１内に設けられた前記した各種センサ等からの検知信号およびＲＯＭ１０２から呼び出された動作プログラムに基づいて、操作パネル９０の液晶表示部９５（ガイダンス部９５Ａ、補助表示部９５Ｂ）、製版書込装置３、原稿読取装置９、給版・ドラム装置３２、給紙装置４７、排紙装置５６、排版装置６２に設けられた制御対象となる上述した各駆動手段の作動等を制御し、孔版印刷装置１全体の動作を制御する機能を有する他、本実施形態１に特徴的な次の制御機能を有している。
【００７７】
第１に、制御装置１００は、製版スタートキー９１からの起動信号としてのスタート信号に基づいて、排版動作に先立って、読取駆動手段７４（ステッピングモータ１１Ａ）を起動することにより原稿搬送ローラ１１を作動（回転駆動）させて原稿２０を搬送し、原稿先端検知センサ１３からの原稿２０先端の検知有無信号に基づいて、原稿２０先端が原稿先端検知センサ１３により検知される位置まで搬送されたか否かを判断する制御手段としての基本的な機能を有する。
【００７８】
第２に、制御装置１００は、製版スタートキー９１からのスタート信号に基づいて、排版動作に先立って、読取駆動手段７４（ステッピングモータ１１Ａ）を起動することにより原稿搬送ローラ１１を回転駆動させて原稿２０を搬送し、原稿先端検知センサ１３をして原稿２０先端を検知させる時に、原稿先端検知センサ１３が前記タイマにより計時される所定の時間内に原稿２０先端を検知しないとき、原稿２０が滞留、すなわち原稿前送りジャムしていることを表示するように図示しない液晶駆動回路を介して液晶表示部９５（ガイダンス部９５Ａ、補助表示部９５Ｂ）を制御する報知制御手段としての機能を有する。
上記制御動作と同時に、制御装置１００は大切な原稿２０を保護するために、ステッピングモータ１１Ａの回転駆動を停止させることにより、原稿搬送ローラ１１による原稿２０の回転・搬送を停止させる。
【００７９】
第３に、制御装置１００は、原稿先端検知センサ１３からの原稿２０先端の検知有り信号に基づいて、予め設定された搬送距離分だけ原稿２０を搬送するように読取駆動手段７４（ステッピングモータ１１Ａ）を制御した後、原稿２０の搬送動作を前記タイマにより計時される所定の時間停止するように読取駆動手段７４（ステッピングモータ１１Ａ）を制御する機能を有する。
【００８０】
第４に、制御装置１００は、第３の制御動作において、原稿２０の搬送動作を前記タイマにより計時される所定の時間停止するように読取駆動手段７４（ステッピングモータ１１Ａ）を制御した後、原稿２０の搬送を開始するように読取駆動手段７４（ステッピングモータ１１Ａ）を制御し、その後、原稿２０の画像の読み取りを読取位置２１で行うようにＣＩＳ１４を制御する動作と連動して、製版動作を行うように製版駆動手段７６（第１のステッピングモータ、前記製版制御部および前記サーマルヘッド駆動回路等）を制御する機能を有する。
【００８１】
ＲＯＭ１０２には、孔版印刷装置１全体の動作プログラムや必要な関係データ等が予め記憶・格納されており、この動作プログラムや関係データはＣＰＵ１０１によって適宜呼び出される。前記関係データの具体例としては、原稿搬送ローラ１１と原稿搬送コロ１２とで形成されるニップ部から原稿先端検知センサ１３により原稿２０先端が検知されるまでの原稿２０の搬送距離、原稿先端検知センサ１３から後述するＣＩＳ１４の読取位置１４Ａの直前の位置までの原稿２０の搬送距離分を原稿搬送ローラ１１が原稿２０をそれぞれ搬送するための図示しない前記モータ駆動回路を介してステッピングモータ１１Ａに与える駆動パルス数との関係データや、ステッピングモータ１１Ａの起動（回転駆動開始）による原稿搬送ローラ１１の回転・搬送を介して原稿２０の搬送が開始されてから原稿２０先端が原稿先端検知センサ１３により検知されるまでの前記タイマにより計時される前記所定の時間や、原稿２０の搬送動作を停止するための前記タイマにより計時される前記所定の時間等が挙げられる。
ＲＡＭ１０３は、ＣＰＵ１０１の計算結果を一時的に記憶する機能、操作パネル９０上の各種キーおよび各種センサから設定および入力されたデータ信号およびオン／オフ信号を随時記憶する機能等を有している。
【００８２】
上述の構成に基づき、本実施形態１における孔版印刷装置１の操作手順を含む動作について、図１ないし図９を参照しながら詳細に説明する。
この動作は、後述する各実施形態を含め制御装置１００（１００Ａ，１００Ｂ）による制御の下になされるため、各種モータや各種ソレノイド等のアクチュエータ（制御対象駆動手段）の起動、作動、停止等の詳細動作を説明する際において、制御装置１００（１００Ａ，１００Ｂ）からの指令あるいは指令信号に基づきというような表現をできるだけ省略する。括弧を付して示した制御装置（１００Ａ，１００Ｂ）の各符号は、後述する実施形態１や２に対応するものである。各図において、各種ローラや各種コロ等の回転方向を表す矢印表示について、主として駆動側を実線で、従動側を破線で示すものとする。
【００８３】
図１は、前記各装置等を具備した孔版印刷装置１に電力を供給する図示しない電源スイッチを押下・オンした後の初期状態を示している。孔版印刷装置１の初期状態は、図１に示すように、製版書込装置３においてはマスタ支持部材２１に繰り出し自在に装着・セットされた状態のマスタロール８のマスタ８ａ先端が搬送駆動ローラ３０と搬送従動ローラ３１とのニップ部よりマスタ搬送方向Ｘ１に少しはみ出た製版待機位置を占めており、給版・ドラム装置３２において印刷ドラム３３のクランパ３５が図１の左斜めに位置する排版待機位置（ホームポジション）を占めており、給紙装置４７においては給紙トレイ４８上に積載された最上位の用紙Ｐが給紙ローラ４９に当接しない下限位置状態を占めている。
【００８４】
図２に示すように、原稿２０に基づいて原稿２０の画像に応じた製版・印刷する際には、使用者は、原稿２０を原稿載置台１０上に載せ、前記サイドフェンス対で原稿幅方向の位置を合わせながら、原稿２０の先端を原稿搬送ローラ１１と原稿搬送コロ１２とで形成されるニップ部に突き当てることによって原稿セットが終了する（ステップＳ１参照）。
【００８５】
次に、操作パネル９０上の製版スタートキー９１を使用者が押すと、スタート信号が生成されて、これが制御装置１００のＣＰＵ１０１に入力される。これにより、先ず、原稿読取装置９のステッピングモータ１１Ａが起動（回転駆動開始）されることにより、少なくとも原稿搬送ローラ１１が反時計回りに回転すると共に、原稿搬送コロ１２が時計回りに従動回転して、原稿２０の搬送を開始する。この時、その他の前記各装置部分、すなわち排版装置６２、製版書込装置３、給版・ドラム装置３２、給紙装置４７等では動作を開始していなく、排版待機位置、製版待機位置、下限位置状態をそれぞれ占めている。なお、原稿搬送ローラ１１および原稿搬送コロ１２の前記した回転により、これと駆動力伝達関係にある原稿排紙ローラ１６が反時計回りに回転すると共に、原稿排紙コロ１７が時計回りに従動回転する。
【００８６】
原稿搬送ローラ１１および原稿搬送コロ１２の前記した回転によって原稿２０先端が搬送されて、図３に示すように、原稿２０先端が原稿先端検知センサ１３の配置位置、すなわち原稿２０先端が原稿先端検知センサ１３により検知される位置まで到達し、前記タイマによって計時される所定の時間内に原稿先端検知センサ１３が原稿２０先端をオン（検知有）すると、その検知有り信号が制御装置１００のＣＰＵ１０１に入力される。この時、制御装置１００は原稿先端検知センサ１３からの検知有り信号に基づいて、ＲＯＭ１０２に予め記憶されている前記関係データを呼び出すことによって、原稿搬送ローラ１１が前記関係データに基づく予め設定された搬送距離分だけの所定量の原稿２０の搬送を行うようにステッピングモータ１１Ａを制御（図示しない前記モータ駆動回路を介してステッピングモータ１１Ａに所定の駆動パルス数が付与される）することにより、原稿２０先端を所定の位置（原稿２０先端がＣＩＳ１４の読取位置１４Ａに至る直前の位置）まで搬送した後、原稿搬送ローラ１１が原稿２０の搬送動作を所定の時間停止するように前記タイマからの計時時間を参照しつつ、ステッピングモータ１１Ａを制御する（ステップＳ３参照）。
【００８７】
前記所定の位置は、この実施形態１ではＣＩＳ１４の読取位置１４Ａよりも原稿２０先端が原稿搬送方向Ｘ２の上流側に搬送された位置、すなわち原稿２０先端がＣＩＳ１４の読取位置１４Ａに至る直前の位置となるように、ステッピングモータ１１Ａに付与される駆動パルス数としてＲＯＭ１０２に予め設定されている。
【００８８】
一方、図７のステップＳ３において、製版スタートキー９１の押下によるスタート信号が生成された後に起動されるステッピングモータ１１Ａの回転駆動により、原稿搬送ローラ１１および原稿搬送コロ１２が回転することによって原稿２０の搬送を開始してから、原稿２０先端が所定の時間内に原稿先端検知センサ１３により検知されないとき、制御装置１００のＣＰＵ１０１は前記タイマからの計時時間を参照しつつ原稿２０が滞留している状態、すなわち原稿前送りジャム状態であることを判断して、原稿前送りジャムしていることを表示するように液晶表示部９５のガイダンス部９５Ａおよび補助表示部９５Ｂを制御する。
上記制御動作と同時に、制御装置１００は大切な原稿２０を保護するために、ステッピングモータ１１Ａの回転駆動を停止させることにより、原稿搬送ローラ１１および原稿搬送コロ１２の回転が停止する。
【００８９】
液晶表示部９５のガイダンス部９５Ａおよび補助表示部９５Ｂへの表示例として、例えば、ガイダンス部９５Ａには「原稿ジャムが発生しましたので、原稿ジャム処理だけを行ってください。」という文字表示や、補助表示部９５Ｂには原稿読取装置９における前記原稿セット部を含む原稿搬送ローラ１１および原稿搬送コロ１２周りが点灯表示されたり点滅表示されたりすることで、その原稿ジャム発生箇所が適宜表示されるため、使用者は容易に原稿前送りジャムを知ることができる。したがって、この場合、原稿２０の前送り搬送のみが行われているため、原稿２０が万が一ジャムしても、他の排版・製版・給版・給紙動作等を行っていないから原稿ジャムでのジャム処理は、原稿２０のみの処理で済み、使用者は原稿以外のジャム処理を行う必要がない（ステップＳ７参照）。
【００９０】
画像読取動作および排版・製版動作を開始するには、原稿搬送ローラ１１および原稿搬送コロ１２の上に配置されている図示しないカバーを開けて、ジャムしている原稿２０を一旦引き出し、図２に示すように再度原稿セットを行うことになる。
【００９１】
図７のステップＳ３において、原稿２０の搬送が問題なく行われて、原稿先端検知センサ１３によって原稿２０先端がオン検知された後、原稿２０先端を所定の位置まで搬送し、その後、原稿搬送ローラ１１が原稿２０の搬送動作を所定の時間停止した後には、図４に示すように、排版装置６２での排版動作を行い、前回の印刷で使用した印刷ドラム３３上の使用済みマスタ８ｃを剥離・廃棄する。
【００９２】
説明が一部前後するが、製版スタートキー９１が押下されてスタート信号が生成され、これが制御装置１００に入力された所定の時機において、前記給紙トレイ昇降モータがオンすることにより給紙トレイ４８が上昇して、最上位の用紙Ｐが給紙ローラ４９に当接することにより、図示しない給紙位置検知センサのオン検知によって最上位の用紙Ｐが給紙可能な状態になったことが制御装置１００により判断されると、給紙装置４７では給紙待機状態となる。
【００９３】
排版装置６２での排版動作の詳細は、以下のとおりである。すなわち、先ず、給版・ドラム駆動手段７９の前記クランパモータが作動することによりクランパ３５が開放・拡開された後、排版駆動手段７５の前記移動手段および給版・ドラム駆動手段７９の前記メインモータが作動して各駆動ローラ６７，７０および印刷ドラム３３が回転駆動されると共に、下部排版部材６４が印刷ドラム３３側に移動し、駆動ローラ７０の外周面上に位置するゴムベルト７２が使用済みマスタと当接する。すると、印刷ドラム３３の図１中矢印方向の回転およびゴムベルト７２の移動によって印刷ドラム３３の外周面上よりすくい上げられた使用済みマスタ８ｃは、下部排版部材６４と上部排版部材６３とで挟持搬送されて印刷ドラム３３の外周面より剥離される。剥離された使用済みマスタ８ｃは排版ボックス６５内に廃棄された後、図示しない前記圧縮板の往復揺動運動によって圧縮される。
【００９４】
印刷ドラム３３の外周面上より使用済みマスタ８ｃが全て剥離された後も印刷ドラム３３は回転を継続し、図５を借りて示すようにクランパ３５が略右横に位置する所定の給版待機位置まで回転して停止する。印刷ドラム３３が給版待機位置で停止すると、給版・ドラム駆動手段７９の前記クランパモータが作動してクランパ３５が開放され、孔版印刷装置１は給版待機状態となる（ステップＳ４参照）。
【００９５】
図７のステップＳ４における排版動作中に、例えば使用済みマスタ８ｃが各駆動ローラ６７，７０やゴムベルト６９，７２の間に噛み込んでしまったり、前記圧縮板の先端と排版ボックス６５の内壁面との間に設けられた隙間に噛み込んでしまったりすることにより、前記排版モータや前記排版圧縮モータが過負荷状態となって停止したことが制御装置１００で判断されると、制御装置１００は排版ジャムが発生したと判断して、液晶表示部９５のガイダンス部９５Ａおよび補助表示部９５Ｂにその旨の表示をさせる（ステップＳ８参照）。
上記表示をさせる制御動作と同時に、制御装置１００は前記メインモータの回転駆動を停止することにより、印刷ドラム３３の回転も停止する。使用者は、給版・ドラム装置３２および排版装置６２等を覆って使用者の操作側に対向して前面に設けられたフロントカバーを開けて、排版ジャム発生部位の処理を行うこととなる。
【００９６】
この後、画像読取動作および排版・製版動作を開始するには、原稿搬送ローラ１１および原稿搬送コロ１２の上に配置されている図示しないカバーを開けて、原稿搬送ローラ１１および原稿搬送コロ１２のニップ部に挟持されている原稿２０を一旦引き出し、図２に示すように再度原稿セットを行うことになる。
【００９７】
図７のステップＳ４における残りの排版動作が問題なく行われている最中に、原稿読取装置９における原稿２０の画像読取動作および製版書込装置３における製版位置へマスタ８ａ先端を送る製版前動作が並行して行われる。
【００９８】
先ず、第１のステッピングモータを起動（回転駆動開始）させることにより、プラテンローラ２３を回転し、次いで所定のタイミングで第２のステッピングモータを少しの時間回転駆動させることにより、マスタ８ｂの先端がガイド板２９に案内されつつマスタ送り出し手段７の作動（送り出し駆動ローラ２６の図５中時計回りおよび送り出し従動ローラ２７の反時計回りの回転）によって製版位置を占めるまでマスタ８ａを搬送する。この後、第２のステッピングモータの回転駆動は所定の時間停止される。製版位置までマスタ８ａの先端を搬送完了したと同時に、原稿２０の画像読取動作が開始する。前記製版位置は、送り出し駆動ローラ２６と送り出し従動ローラ２７とのニップ部よりマスタ搬送方Ｘ１の下流側に少しはみ出た位置に予め設定されている。
【００９９】
原稿２０の画像読取りは、原稿２０先端を所定の位置（原稿２０先端がＣＩＳ１４の読取位置１４Ａに至る直前の位置）まで搬送した後、原稿２０の搬送動作を所定の時間停止している原稿搬送ローラ１１が、再びステッピングモータ１１Ａが回転駆動開始されることで行われる。すなわち、少なくとも原稿搬送ローラ１１が反時計回りに回転すると共に、原稿搬送コロ１２が時計回りに従動回転して、原稿２０の搬送を再開し、こうして搬送されてきた原稿２０の画像がＣＩＳ１４で読み取られることで行われ、読み取られた画像情報（反射光）はＣＩＳ１４で光電変換される。ＣＩＳ１４で光電変換された画像情報に係る電気信号は図示しない前記Ａ／Ｄ変換部に入力されてデジタル画像信号に変換された後、図示しない製版制御部（制御装置１００の中に配設されていてもよい）を経由して図示しない前記サーマルヘッド駆動回路に送信される。
【０１００】
上述した排版動作の終了に続いて、製版書込装置３では製版書込動作（製版動作）が開始される。すなわち、サーマルヘッド２２の前記多数の発熱素子が主走査方向にパルス状に通電されて選択的に発熱されると共に、第１のステッピングモータが回転駆動されることにより、プラテンローラ２３、マスタ搬送手段６が作動を開始して、マスタロール８からマスタ８ａが引き出されつつマスタ搬送方向Ｘ１に搬送されながら、マスタ８ａの前記熱可塑性樹脂フィルム部分がデジタル画像信号（画像情報）に応じて選択的に加熱穿孔される。
この時、第２のステッピングモータは駆動停止していることにより、プラテンローラ２３およびマスタ搬送手段６によりマスタ搬送方向Ｘ１に搬送される画像情報が書き込まれた製版済みマスタ８ｂは、ガイド板２９の上方にたわみを形成されながら貯容されていく。
【０１０１】
そして、所定の時間停止していた第２のステッピングモータが起動再開されることにより、画像情報が書き込まれた製版済みマスタ８ｂはマスタ送り出し手段７の作動開始（送り出し駆動ローラ２６の図５中時計回りおよび送り出し従動ローラ２７の反時計回りの回転）によって、前記たわみの形成を保持されながら送り出され、マスタガイド板２８に案内されつつ前記ステージに対して拡開しているクランパ３５の間に挿入される。そして、第１のステッピングモータのステップ数がある設定値に達し、製版済みマスタ８ｂの先端部が前記ステージとクランパ３５との間に届いたと判断されると、前記開閉手段の作動によりクランパ３５が閉じられ、製版済みマスタ８ｂの先端部が前記ステージとクランパ３５との間に吸着・挾持される。
【０１０２】
製版済みマスタ８ｂの先端部のクランプ後、第２のステッピングモータの回転駆動が停止される。図６に示すように、前記メインモータの回転駆動により印刷ドラム３３がマスタ搬送速度と略同じ周速度で図６中矢印方向に回転を再開して、製版済みマスタ８ｂがプラテンローラ２３、マスタ搬送手段６およびマスタ送り出し手段７により搬送されて印刷ドラム３３の外周面へ巻装されるべく給版される。
この時、第２のステッピングモータの回転駆動が停止されていることにより、送り出し駆動ローラ２６の回転は停止され、送り出し従動ローラ２７は印刷ドラム３３における図６中矢印方向の回転による回転力によって従動回転されるので、印刷ドラム３３の外周面へ巻装される製版済みマスタ８ｂには適度の張力が付与されてシワ等を発生することなく給版される。
【０１０３】
第１のステッピングモータの所定ステップ数の回転駆動により、マスタ８ａへの製版および設定量（１版分）の製版済みマスタ８ｂの搬送が終了したと判断されると、切断手段５が作動して製版済みマスタ８ｂが切断されると共に、第１のステッピングモータの回転駆動が停止されることによりプラテンローラ２３およびマスタ搬送手段６の回転が停止する。
そして、切断された製版済みマスタ８ｂの後端が、印刷ドラム３３の回転によって製版書込装置３内から引き出され、印刷ドラム３３の外周面に完全に巻き取られた段階で印刷ドラム３３への製版済みマスタ８ｂの巻装が終了することにより、給版動作が終了する（ステップＳ６参照）。
【０１０４】
図７のステップＳ６において、例えば製版書込装置３内においてプラテンローラ２３とサーマルヘッド２２との間や、切断手段５の部位やマスタ搬送手段６等においてマスタ８ａや製版済みマスタ８ｂの搬送ジャム等が発生したときには、前記マスタ先端検知センサ（６３（６３Ｂ，６３Ｃ））によって所定の時間内にマスタ８ａや製版済みマスタ８ｂの先端が検知されないことに基づき、制御装置１００はマスタ８ａや製版済みマスタ８ｂの搬送ジャム等が発生したと判断し、液晶表示部９５のガイダンス部９５Ａおよび補助表示部９５Ｂにその旨の表示をさせる（ステップＳ９では、マスタ８ａや製版済みマスタ８ｂの搬送ジャム等を含めた給版ジャム表示で表されている）。
また、マスタ送り手段６等で製版済みマスタ８ｂの搬送ジャム等が発生したときや、クランパ３５による製版済みマスタ８ｂ先端部のクランプミス発生時には、例えば特許第２９０１０８２号（特開平３−１９３３５１号）公報等で開示されている技術と略同様に、印刷ドラム３３の外周面上に巻装される製版済みマスタ８ｂまたは未製版のマスタ８ａの有無を検知するマスタ有無検知手段としての反射型の光学センサからなるマスタ有無検知センサ（図示せず）が給版待機位置状態にある印刷ドラム３３の外周面に配置されたセンサパターン近傍の孔版印刷装置本体側に配設されていて、このマスタ有無検知センサにより給版ジャムの発生有無が検知される。したがって、給版ジャム等が発生したときには、前記マスタ有無検知センサによってマスタ８ａや製版済みマスタ８ｂの先端が検知されないことに基づき、制御装置１００はマスタ８ａや製版済みマスタ８ｂの給版ジャム等が発生したと判断し、液晶表示部９５のガイダンス部９５Ａおよび補助表示部９５Ｂにその旨の表示をさせる（ステップＳ９参照）。
【０１０５】
印刷ドラム３３への製版済みマスタ８ｂの巻装が完了すると、印刷ドラム３３が所定の周速度で矢印方向に回転し始めることにより、版付けのための給紙・印刷工程が開始される。印刷ドラム３３が矢印方向に低速で回転して所定の回転位置に至ったことが図示しない給紙開始検知センサで検知されると、該給紙開始検知センサがオンして給紙スタート信号が生成され、この信号がトリガとなって前記給紙モータが起動（回転駆動開始）する。前記給紙モータが回転駆動されることにより、分離ローラ５０および給紙ローラ４９が時計回りに回転することで、給紙ローラ４９と接触している給紙トレイ４８上の最上位の用紙Ｐが、搬送されながら分離ローラ５０および分離部材５０Ａとの協働作用によって１枚に分離されて用紙搬送方向Ｘの下流側であるレジストローラ対５１のニップ部に向けて給送される。
【０１０６】
次いで、印刷ドラム３３が矢印方向にさらに回転して所定の回転位置に至ったことが図示しないレジスト開始検知センサで検知されると、該レジスト開始検知センサがオンしてレジストスタート信号が生成され、この信号がトリガとなって前記レジストモータ（図示せず）が起動（回転駆動開始）する。
前記レジストモータが回転駆動されることにより、レジストローラ対５１のニップ部で当接して待機している用紙Ｐの先端が印刷ドラム３３とプレスローラ５４との間に向けて送り出される。これにタイミングを合わせて、プレスローラ５４が揺動上昇して、印刷ドラム３３上の製版済みマスタ８ｂの先端余白部分に用紙Ｐを押し付けて印圧を付与する印刷位置に変位すると共に、プレスローラ５４は印刷ドラム３３の回転方向と反対方向に従動回転しながら印刷ドラム３３上の製版済みマスタ８ｂに用紙Ｐを連続的に押し付けることで、製版済みマスタ８ｂを印刷ドラム３３の外周面に密着させそれにインキを充填させるためのいわゆる版付けが行われる。この版付けでは、印刷ドラム３３の開口部の開孔部分から製版済みマスタ８ｂの穿孔部分へとインキが滲み出てきて用紙Ｐの表面に転移されることで孔版印刷が行われる。
【０１０７】
この時、インキローラ３７も印刷ドラム３３の回転方向と同一方向に回転する。インキ溜まり３９のインキは、インキローラ３７の回転によりインキローラ３７の表面に付着され、インキローラ３７とドクターローラ３８との間隙を通過する際にその量を規制され、印刷ドラム３３の内周面に供給される。
【０１０８】
こうして印刷ドラム３３上の製版済みマスタ８ｂにおける製版画像に対応した版付け印刷が行われ、印刷ドラム３３がさらに回転して製版済みマスタ８ｂにおける製版画像の後端余白部分において、プレスローラ５４は非印刷位置を占めるべく下降変位することとなって、プレスローラ５４による印圧付与状態が解除される。
【０１０９】
こうして版付け印刷された用紙Ｐはプレスローラ５４で押圧された状態で印刷ドラム３３の矢印方向の回転によってさらに搬送され、印刷ドラム３３の外周面に接近する剥離爪５５により印刷ドラム３３上の製版済みマスタ８ｂから剥離され、剥離され印刷された用紙Ｐは下方へと落下して前記排紙搬送手段の無端ベルト５９上へ送られ、無端ベルト５９の上面に吸引ファン６０による吸引力によって引きつけられ保持されながら用紙搬送方向Ｘの下流側に搬送されて、排紙トレイ６１に排出される。プレスローラ５４は、印刷ドラム３３の外周面から離れた非印刷位置に復帰して保持されると共に、印刷ドラム３３は再び排版待機位置（ホームポジション）まで回転して停止し、版付け動作を終えて孔版印刷装置１は印刷待機状態となる。
【０１１０】
孔版印刷装置１が印刷待機状態となった後、操作パネル９０の図示しない印刷速度設定キーおよび操作パネル９０上の各種キーによって印刷条件を入力した後に、テンキー９３によって印刷枚数が入力された後に印刷スタートキー９２が押下されると、給紙装置４７から用紙Ｐが連続的に給送され、設定した印刷条件で印刷動作が行われる。そして、設定された印刷枚数（所定枚数）が消化されると印刷ドラム３３が排版待機位置（ホームポジション）で停止し、孔版印刷装置１は再び印刷待機状態となる。
通常の印刷動作は、版付け時の印刷動作と比較して、前記したように版付け印刷に用いられた用紙Ｐの枚数が正規の通常の印刷枚数としてカウントされないこと、および使用者が所望する設定印刷速度に応じた速度での給紙、印刷および排紙の各動作が行われることが主に相違するだけである。
【０１１１】
（実施形態２）
図９および図１０に、実施形態２を示す。
実施形態２は、実施形態１と比較して、原稿２０の画像読取動作と並行して、製版時間短縮のため、排版動作および製版動作が同時的に行われること、および制御装置１００に代えた制御装置１００Ａを有することが主に相違する。
【０１１２】
制御装置１００Ａは、ＣＰＵ１０１Ａ、図示しないＩ／Ｏ（入出力）ポート、ＲＯＭ１０２Ａ、ＲＡＭ１０３および図示しない電池付きのタイマ等を備え、それらが図示しない信号バスによって接続された構成を有するマイクロコンピュータを具備している。制御装置１００ＡのＣＰＵ１０１Ａ（以下、単に「制御装置１００Ａ」という）は、実施形態１の制御装置１００と比較して、次の制御機能を有することが主に相違する。制御装置１００Ａの第３および第４の制御機能は、制御装置１００のそれらと同様である。
制御装置１００Ａは、制御装置１００の第１の機能に代えて、製版スタートキー９１からのスタート信号に基づいて、排版動作と並行して行われる製版動作に先立って、読取駆動手段７４（ステッピングモータ１１Ａ）を起動することにより原稿搬送ローラ１１を作動（回転駆動）させて原稿２０を搬送し、原稿先端検知センサ１３からの原稿２０先端の検知有無信号に基づいて、原稿２０先端が原稿先端検知センサ１３により検知される位置まで搬送されたか否かを判断する制御手段としての基本的な機能を有する。
【０１１３】
制御装置１００Ａは、制御装置１００の第２の機能に代えて、製版スタートキー９１からのスタート信号に基づいて、排版動作と並行して行われる製版動作に先立って、読取駆動手段７４（ステッピングモータ１１Ａ）を起動することにより原稿搬送ローラ１１を回転駆動させて原稿２０を搬送し、原稿先端検知センサ１３をして原稿２０先端を検知させる時に、原稿先端検知センサ１３が前記タイマにより計時される所定の時間内に原稿２０先端を検知しないとき、原稿２０が滞留、すなわち原稿前送りジャムしていることを表示するように図示しない液晶駆動回路を介して液晶表示部９５（ガイダンス部９５Ａ、補助表示部９５Ｂ）を制御する報知制御手段としての機能を有する。
上記制御動作と同時に、制御装置１００Ａは大切な原稿２０を保護するために、ステッピングモータ１１Ａの回転駆動を停止させることにより、原稿搬送ローラ１１による原稿２０の回転・搬送を停止させる。
ＲＯＭ１０２Ａは、ＲＯＭ１０２と比較して、原稿２０の画像読取動作と並行して、排版動作および製版動作を同時に行うための孔版印刷装置１全体の動作プログラムが予め記憶・格納されていることのみ相違する。
【０１１４】
次に、図１ないし図３および図８ないし図１０を参照し、図７を借用して参照しながら実施形態２の動作について、実施形態１のそれと相違する点を中心に説明する。実施形態１と同様の動作については、適宜その細部を省略しながら簡明に述べる。
孔版印刷装置１の初期状態は、実施形態１と同様であり、図１に示されているとおりである。図２に示すように、原稿２０に基づいて原稿２０の画像に応じた製版・印刷する際には、使用者は実施形態１と同様にして原稿２０を前記原稿セット部にセットする（ステップＳ１参照）。
【０１１５】
次に、使用者が製版スタートキー９１を押すと、実施形態１と同様に、先ず、原稿読取装置９のステッピングモータ１１Ａが回転駆動開始されることにより、少なくとも原稿搬送ローラ１１が反時計回りに回転すると共に、原稿搬送コロ１２が時計回りに従動回転して、原稿２０の搬送を開始する。この時、その他の前記各装置部分、すなわち排版装置６２、製版書込装置３、給版・ドラム装置３２、給紙装置４７等では動作を開始していなく、排版待機位置、製版待機位置、下限位置状態をそれぞれ占めている。
【０１１６】
原稿搬送ローラ１１および原稿搬送コロ１２の前記した回転によって原稿２０先端が搬送されて、図３に示すように、原稿２０先端が原稿先端検知センサ１３の配置位置まで到達し、前記タイマによって計時される所定の時間内に原稿先端検知センサ１３が原稿２０先端をオン（検知有）すると、制御装置１００は原稿先端検知センサ１３からの検知有り信号に基づいて、ＲＯＭ１０２Ａに予め記憶されている前記関係データを呼び出すことによって、原稿搬送ローラ１１が前記関係データに基づく予め設定された搬送距離分だけの所定量の原稿２０の搬送を行うようにステッピングモータ１１Ａを制御（図示しない前記モータ駆動回路を介してステッピングモータ１１Ａに所定の駆動パルス数が付与される）することにより、原稿２０先端を所定の位置（原稿２０先端がＣＩＳ１４の読取位置１４Ａに至る直前の位置）まで搬送した後、原稿搬送ローラ１１が原稿２０の搬送動作を所定の時間停止するように前記タイマからの計時時間を参照しつつ、ステッピングモータ１１Ａを制御する（ステップＳ３参照）。
前記所定の位置は、この実施形態２でも実施形態１と同様にＲＯＭ１０２Ａに予め設定されている。
【０１１７】
一方、図７のステップＳ３において、製版スタートキー９１の押下によるスタート信号が生成された後に起動されるステッピングモータ１１Ａの回転駆動により、原稿搬送ローラ１１および原稿搬送コロ１２が回転することによって原稿２０の搬送を開始してから、原稿２０先端が所定の時間内に原稿先端検知センサ１３により検知されないとき、制御装置１００Ａは前記タイマからの計時時間を参照しつつ原稿２０が滞留している状態、すなわち原稿前送りジャム状態であることを判断して、原稿前送りジャムしていることを表示するように液晶表示部９５のガイダンス部９５Ａおよび補助表示部９５Ｂを制御する。これらの表示例は、実施形態１と同様であり、これらの表示によって、使用者は容易に原稿前送りジャムを知ることができる。したがって、この場合、原稿２０の前送り搬送のみが行われているため、原稿２０が万が一ジャムしても、他の排版・製版・給版・給紙動作等を行っていないから原稿ジャムでのジャム処理は、原稿２０のみの処理で済み、使用者は原稿以外のジャム処理を行う必要がない（ステップＳ７参照）。
【０１１８】
上記制御動作と同時に、制御装置１００Ａは大切な原稿２０を保護するために、ステッピングモータ１１Ａの回転駆動を停止させることにより、原稿搬送ローラ１１および原稿搬送コロ１２の回転が停止する。
【０１１９】
画像読取動作および排版・製版動作を開始するには、原稿搬送ローラ１１および原稿搬送コロ１２の上に配置されている図示しないカバーを開けて、ジャムしている原稿２０を一旦引き出し、図２に示すように再度原稿セットを行うことになる。
【０１２０】
説明が一部前後するが、製版スタートキー９１が押下されてスタート信号が生成され、これが制御装置１００Ａに入力された所定の時機において、前記給紙トレイ昇降モータがオンすることにより給紙トレイ４８が上昇して、最上位の用紙Ｐが給紙ローラ４９に当接することにより、図示しない給紙位置検知センサのオン検知によって最上位の用紙Ｐが給紙可能な状態になったことが制御装置１００Ａにより判断されると、給紙装置４７では給紙待機状態となる。
【０１２１】
図７のステップＳ３において、原稿２０の搬送が問題なく行われて、原稿先端検知センサ１３によって原稿２０先端がオン検知された後、原稿２０先端を所定の位置まで搬送し、その後、原稿搬送ローラ１１が原稿２０の搬送動作を所定の時間停止した後には、図１０に示すように、排版装置６２での排版動作と製版書込装置３での製版動作とが同時に開始される。
【０１２２】
排版装置６２での排版動作の詳細は、実施形態１と同様に行われる。一方、製版書込装置３では、第１のステッピングモータを起動（回転駆動開始）させることにより、プラテンローラ２３を回転し、次いで所定のタイミングで第２のステッピングモータを少しの時間回転駆動させることにより、マスタ８ｂの先端がガイド板２９に案内されつつマスタ送り出し手段７の作動（送り出し駆動ローラ２６の図５を借りて示す中時計回りおよび送り出し従動ローラ２７の反時計回りの回転）によって製版位置を占めるまでマスタ８ａを搬送する。この後、第２のステッピングモータの回転駆動は所定の時間停止される。
製版位置までマスタ８ａの先端を搬送完了したと同時に、原稿２０の画像読取動作が開始する。原稿２０の画像読取りは、実施形態１と同様に、原稿２０先端を所定の位置（原稿２０先端がＣＩＳ１４の読取位置１４Ａに至る直前の位置）まで搬送した後、原稿２０の搬送動作を所定の時間停止している原稿搬送ローラ１１が、再びステッピングモータ１１Ａが回転駆動開始されることで行われる。すなわち、少なくとも原稿搬送ローラ１１が反時計回りに回転すると共に、原稿搬送コロ１２が時計回りに従動回転して、原稿２０の搬送を再開し、こうして搬送されてきた原稿２０の画像がＣＩＳ１４で読み取られることで行われ、読み取られた画像情報（反射光）はＣＩＳ１４で光電変換され、ＣＩＳ１４で光電変換された画像情報に係る電気信号は図示しない前記Ａ／Ｄ変換部に入力されてデジタル画像信号に変換された後、図示しない製版制御部（制御装置１００Ａの中に配設されていてもよい）を経由して図示しない前記サーマルヘッド駆動回路に送信される。
【０１２３】
上述した排版動作中に、製版書込装置３では製版書込動作（製版動作）が開始される。すなわち、実施形態１と同様に、サーマルヘッド２２の前記多数の発熱素子が主走査方向にパルス状に通電されて選択的に発熱されると共に、第１のステッピングモータが回転駆動されることにより、プラテンローラ２３、マスタ搬送手段６が作動を開始して、マスタロール８からマスタ８ａが引き出されつつマスタ搬送方向Ｘ１に搬送されながら、マスタ８ａの前記熱可塑性樹脂フィルム部分がデジタル画像信号（画像情報）に応じて選択的に加熱穿孔される。
この時、第２のステッピングモータは駆動停止していることにより、プラテンローラ２３およびマスタ搬送手段６によりマスタ搬送方向Ｘ１に搬送される製版済みマスタ８ｂは、ガイド板２９の上方にたわみを形成されながら貯容されていく。
【０１２４】
そうしているうちに、印刷ドラム３３上の使用済みマスタ８ｃは排版されながら印刷ドラム３３は回転を継続し、図１０を借りて示すようにクランパ３５が略右横に位置する所定の給版待機位置まで回転して停止する。印刷ドラム３３が給版待機位置で停止すると、給版・ドラム駆動手段７９の前記クランパモータが作動してクランパ３５が開放され、孔版印刷装置１は給版待機状態となる。
【０１２５】
次いで、所定の時間停止していた第２のステッピングモータが起動再開されることにより、画像情報が書き込まれた製版済みマスタ８ｂはマスタ送り出し手段７の作動開始（図１０に示す送り出し駆動ローラ２６の時計回りおよび送り出し従動ローラ２７の反時計回りの回転）によって、前記たわみの形成を保持されながら送り出され、マスタガイド板２８に案内されつつ前記ステージに対して拡開しているクランパ３５の間に挿入される。そして、第１のステッピングモータのステップ数がある設定値に達し、製版済みマスタ８ｂの先端部が前記ステージとクランパ３５との間に届いたと判断されると、前記開閉手段の作動によりクランパ３５が閉じられ、製版済みマスタ８ｂの先端部が前記ステージとクランパ３５との間に吸着・挾持される。
【０１２６】
製版済みマスタ８ｂの先端部のクランプ後、第２のステッピングモータの回転駆動が停止される。図１０に示すように、前記メインモータの回転駆動により印刷ドラム３３がマスタ搬送速度と略同じ周速度で図１０中矢印方向に回転を再開して、製版済みマスタ８ｂがプラテンローラ２３、マスタ搬送手段６およびマスタ送り出し手段７により搬送されて印刷ドラム３３の外周面へ巻装されるべく給版される。
この時、第２のステッピングモータの回転駆動が停止されていることにより、送り出し駆動ローラ２６の回転は停止され、送り出し従動ローラ２７は印刷ドラム３３における図１０中矢印方向の回転による回転力によって従動回転されるので、印刷ドラム３３の外周面へ巻装される製版済みマスタ８ｂには適度の張力が付与されてシワ等を発生することなく給版される。
【０１２７】
第１のステッピングモータの所定ステップ数の回転駆動により、マスタ８ａへの製版および設定量（１版分）の製版済みマスタ８ｂの搬送が終了したと判断されると、切断手段５が作動して製版済みマスタ８ｂが切断されると共に、第１のステッピングモータの回転駆動が停止されることによりプラテンローラ２３およびマスタ搬送手段６の回転が停止する。
そして、切断された製版済みマスタ８ｂの後端が、印刷ドラム３３の回転によって製版書込装置３内から引き出され、印刷ドラム３３の外周面に完全に巻き取られた段階で印刷ドラム３３への製版済みマスタ８ｂの巻装が終了することにより、給版動作が終了する。
【０１２８】
これ以降の給紙・版付け印刷または通常の印刷・排紙の各動作は、実施形態１と同様に行われるためその説明を省略する。また、排版ジャムや製版時のマスタ搬送ジャムを含む給版ジャム等の発生過程やその表示等も、制御装置１００Ａの制御の下に実施形態１と同様に行われるためその説明を省略する。
【０１２９】
（実施形態３）
図１１ないし図１３に、実施形態３を示す。
実施形態３は、実施形態１と比較して、図１１ないし図１３に示すように、孔版印刷装置１に代えて、孔版印刷装置１Ｂを有すること、孔版印刷装置１Ｂの下方に設けられ給紙手段４６と同様の構成を備えた給紙手段４６−１、４６−２を具備した複数の給紙装置としてのバンク給紙装置２００を有すること、制御装置１００に代えた制御装置１００Ｂを有すること、および原稿２０の画像読取動作と並行して、排版動作、製版動作および給紙動作が同時的に行われることが主に相違する。
【０１３０】
孔版印刷装置１Ｂおよびバンク給紙装置２００の構成は、例えば本願出願人が提案した特開２０００−１０８４８２号公報の図１ないし図３３等に示されている孔版印刷装置（１００）およびバンク給紙部（２００）と略同様である。
孔版印刷装置１Ｂは、実施形態１の孔版印刷装置１と比較して、給版・ドラム装置３２に代えて、前記特開２０００−１０８４８２号公報の図１ないし図３３等に示されている孔版印刷装置（１００）を構成している版胴（１）、インキ供給装置（２２）および圧胴（２０）等を具備した給版・ドラム装置１３２を有することが主に相違する。
【０１３１】
図１１ないし図１３において、給版・ドラム装置１３２は、給版・ドラム装置３２と比較して、プレスローラ５４に代えて、押圧手段としての圧胴１２０を有すること、および給版・ドラム駆動手段７９に代えて、給版・ドラム駆動手段１７９を有することが主に相違する。
圧胴１２０は、印刷ドラム３３の下方に配設され給送されて来た用紙Ｐの先端部を挾持・保持する保持手段としての用紙クランパ１２１を備え、印刷ドラム３３上の製版済みマスタに用紙Ｐを押し付ける周知のものであり、印刷ドラム３３の外周直径と略同じである。給版・ドラム駆動手段１７９は、給版・ドラム駆動手段７９と比較して、前記メインモータが圧胴１２０を回転駆動するための駆動力伝達手段を介して圧胴１２０に連結されていることのみ相違する。
【０１３２】
制御装置１００Ｂは、ＣＰＵ１０１Ｂ、図示しないＩ／Ｏ（入出力）ポート、ＲＯＭ１０２Ｂ、ＲＡＭ１０３および図示しない電池付きのタイマ等を備え、それらが図示しない信号バスによって接続された構成を有するマイクロコンピュータを具備している。制御装置１００ＢのＣＰＵ１０１Ｂ（以下、単に「制御装置１００Ｂ」という）は、実施形態１の制御装置１００と比較して、次の制御機能を有することが主に相違する。制御装置１００Ｂの第３および第４の制御機能は、制御装置１００のそれらと同様である。
制御装置１００Ｂは、制御装置１００の第１の機能に代えて、製版スタートキー９１からのスタート信号に基づいて、排版動作と並行して行われる製版動作と給紙動作とに先立って、読取駆動手段７４（ステッピングモータ１１Ａ）を起動することにより原稿搬送ローラ１１を作動（回転駆動）させて原稿２０を搬送し、原稿先端検知センサ１３からの原稿２０先端の検知有無信号に基づいて、原稿２０先端が原稿先端検知センサ１３により検知される位置まで搬送されたか否かを判断する制御手段としての基本的な機能を有する。
【０１３３】
制御装置１００Ｂは、制御装置１００の第２の機能に代えて、製版スタートキー９１からのスタート信号に基づいて、排版動作と並行して行われる製版動作と給紙動作とに先立って、読取駆動手段７４（ステッピングモータ１１Ａ）を起動することにより原稿搬送ローラ１１を回転駆動させて原稿２０を搬送し、原稿先端検知センサ１３をして原稿２０先端を検知させる時に、原稿先端検知センサ１３が前記タイマにより計時される所定の時間内に原稿２０先端を検知しないとき、原稿２０が滞留、すなわち原稿前送りジャムしていることを表示するように図示しない液晶駆動回路を介して液晶表示部９５（ガイダンス部９５Ａ、補助表示部９５Ｂ）を制御する報知制御手段としての機能を有する。
上記制御動作と同時に、制御装置１００Ｂは大切な原稿２０を保護するために、ステッピングモータ１１Ａの回転駆動を停止させることにより、原稿搬送ローラ１１による原稿２０の回転・搬送を停止させる。
ＲＯＭ１０２Ｂは、ＲＯＭ１０２と比較して、原稿２０の画像読取動作と並行して、排版動作と製版動作と給紙動作とを同時に行うための孔版印刷装置１Ｂおよびバンク給紙装置２００全体の動作プログラムが予め記憶・格納されていることのみ相違する。
【０１３４】
上述したように、実施形態３は、前記特開２０００−１０８４８２号公報の図１ないし図３３等に示されている孔版印刷装置（１００）およびバンク給紙部（２００）に本発明を具体的に適用したものであり、以下、図１１ないし図１３に示されている実施形態１と相違する構成を簡単に説明することで、前記特開２０００−１０８４８２号公報の図１ないし図３３等に示されている孔版印刷装置（１００）およびバンク給紙部（２００）と同様の構成の説明は省略する。
【０１３５】
図１１ないし図１３に示すように、符号ＲＸは、孔版印刷装置１Ｂ側の給紙装置４７から給送される用紙Ｐをレジストローラ対５１に向けて搬送するための横給紙路を、符号ＲＺは、バンク給紙装置２００から給送される用紙Ｐをレジストローラ対５１に向けて搬送するための縦給紙路をそれぞれ示す。符号１５１は、給紙装置４７とレジストローラ対５１との間の横給紙路ＲＸに配設され、用紙Ｐの先端を検知する用紙先端センサを、符号１５２は、圧胴１２０とレジストローラ対５１との間の横給紙路ＲＸに配設され、用紙Ｐの先端を検知する用紙先端検知手段としてのレジストセンサ１５２をそれぞれ示す。
【０１３６】
符号１５５ａ，１５５ｂは、縦給紙路ＲＺに設けられバンク給紙装置２００から給送された用紙Ｐの先端をレジストローラ対５１に向けて送り出し、レジストローラ対５１に当接させてたわみを形成する用紙搬送手段としての一対の中間搬送ローラを、符号１５３は、用紙先端センサ１５１と中間搬送ローラ対１５５ａ，１５５ｂとの間の縦給紙路ＲＺ上に配設され、用紙Ｐの先端を検知する中間センサ上を、符号１５４は、中間搬送ローラ対１５５ａ，１５５ｂとバンク給紙装置２００側に配設されたバンクレジストローラ対１０６ａ，１０６ｂとの間の縦給紙路ＲＺ上であって、用紙Ｐの先端を検知する中間センサ下１５４をそれぞれ示す。
【０１３７】
バンク給紙装置２００は、図１１および図１２に示すように、上段の給紙部としてのバンク上給紙装置２０１および下段の給紙部としてのバンク上給紙装置２０１と、縦給紙路ＲＺの上から順に配設された、一対のバンクレジストローラ１０６ａ，１０６ｂと、バンクレジストセンサ１３５と、一対の中間ローラ１１８ａ，１１８ｂと、バンクフィードセンサ１３６とを具備している。
符号１４３は、バンク上給紙装置２０１において複数枚の用紙Ｐを積載して昇降自在なトレイ上を、符号１４４は、トレイ上１４３を水平状態に保ちながら昇降させるトレイユニット上をそれぞれ示す。
符号１４５は、バンクした給紙装置２０２において複数枚の用紙Ｐを積載して昇降自在なトレイ下を、符号１４６は、トレイ下１４５を水平状態に保ちながら昇降させるトレイユニット下をそれぞれ示す。
【０１３８】
符号１３５は、バンクレジストローラ対１０６ａ，１０６ｂよりも上流側の合流部の縦給紙路ＲＺに配設され、用紙Ｐの先端および後端を検知することにより、所定の時間内にバンクレジストローラ対１０６ａ，１０６ｂ配置部位に用紙Ｐの先端が来ているか否かを検知する機能等を有するバンクレジストセンサを、符号１３６は、中間ローラ対１１８ａ，１１８ｂ近傍の縦給紙路ＲＺの上流側に配設され、用紙Ｐの先端および後端を検知することにより、所定の時間内に中間ローラ対１１８ａ，１１８ｂ配置部位に用紙Ｐの先端が来ているか否かを検知する機能等を有するバンクフィードセンサをそれぞれ示す。
【０１３９】
図１３において、バンク給紙装置２００から給紙を行うためのバンク給紙駆動機構は、バンクレジストローラ対１０６ａ，１０６ｂを駆動するバンクレジストローラ駆動手段１２５Ａと、給紙手段４６−１側の分離ローラ５０および給紙ローラ４９、または中間ローラ対１１８ａ，１１８ｂ、給紙手段４６−２側の分離ローラ５０および給紙ローラ４９を切り換え駆動するバンク上下給紙切換駆動機手段２５Ｂとからなる。バンクレジストローラ駆動手段１２５Ａは、前記特開２０００−１０８４８２号公報の図１６等に示されているバンクレジストローラ駆動機構１２５Ａと同様であり、また、バンク上下給紙切換駆動機手段２５Ｂは、前記同公報の同図１６等に示されているバンク上下給紙部切換駆動機構１２５Ｂと同様であるため、その詳細を省略する。
【０１４０】
実施形態３の動作の詳細は、上述した実施形態１および２ならびに実施形態３の構成等から当業者ならば容易に実施できるためその説明を省略する。図１２（ａ），（ｂ）によく示されているように、例えばバンク給紙装置２００からＡ３サイズの用紙Ｐを縦通しで給送する場合、用紙搬送経路としての縦給紙路ＲＺが横給紙路ＲＸと比べて非常に長くなるので、原稿２０の画像読取動作と並行して、給紙前送りを行う場合があり、すなわち排版動作と製版動作と給紙動作とを同時に行う必要がある。このような場合にも、本発明を適用して上述した課題を解決することは当業者ならば容易にできる。
図１２（ａ），（ｂ）において、トレイ上１４３からＡ３サイズの用紙Ｐ（太い実線で示す）を搬送する図１２（ａ）に示す方が、図１２（ｂ）に示すようなトレイ下１４５からの同サイズの用紙Ｐ（太い実線で示す）の搬送に比べて、より一層搬送負荷が大きくなることを示しており、レジストローラ対５１が用紙Ｐを送り出している最中のレジストローラ対５１に対する搬送負荷が大きくなり、スリップを生じやすくなる。したがって、この搬送負荷を補償すべく中間搬送ローラ対１５５ａ，１５５ｂをアシスト回転して中間搬送ローラ対１５５ａ，１５５ｂの用紙搬送速度をそれぞれ可変制御するのである。
【０１４１】
上述したとおり、実施形態１ないし３では、請求項８ないし１４に記載した印刷方法が使用されていたと言える。
実施形態３に限定されず、原稿２０の画像読取動作と並行して、排版動作と製版動作と給紙動作とを同時に行う技術例として、例えば本願出願人および本願発明者が提案した特開平１０−１８１１７７号公報の図１ないし図１３に記載されている印刷方法および印刷装置にも本発明を適用して後述する効果を奏することは、言うまでもない。
【０１４２】
原稿読取装置は、原稿読取装置９に限らず、特開平７−２４１９７４号（特許第２９１５７７６号）や特開平８−６７０６１号（特許第２９６０８６３号）の図１に示されているように、画像読取手段として例えばＣＣＤ（電荷結合素子）からなる画像センサ（８９）、複数枚の原稿２０を最下部のものから順に１枚ずつ分離して自動搬送する分離ローラ（８１）および分離ブレード（８４）等を具備したものでもよい。
【０１４３】
上述したことから、本発明の適用範囲は、印刷装置や印刷方法に限定されず、カラー複写装置等を含む複写装置やプリンタ等の画像形成装置一般にも将来的には適用可能である。画像を形成する画像形成手段等を具備した画像形成装置において、例えば現在の孔版印刷装置における印刷速度程（現状の最高速度が大体１２０〜１５０枚／分程度）その画像形成速度が向上したような場合には、例えば、画像読取動作と並行して、像担持体（例えば感光体ドラムや感光体ベルト等）への原稿の画像に応じての潜像等の形成動作と給紙動作等とを同時に行うことにより、いわゆるＦＰＴの短縮化を一つの目的とすることが十分想定されるからである。
したがって、このような点を考慮して、本発明は以下の画像形成装置や画像形成方法でもよい。すなわち、セットされた原稿を搬送する原稿搬送手段と、該原稿搬送手段により搬送されてきた原稿の画像を読み取る画像読取部と、前記原稿搬送手段と該画像読取部との間に設けられ前記原稿搬送手段により搬送されてきた原稿の先端を検知する原稿検知手段と、原稿の画像に応じた潜像を形成する像担持体を備えた画像形成手段および前記画像形成手段に向けて用紙を給送する給紙手段等のうちの少なくとも一つの手段とを具備し、前記画像読取部での画像読取動作と並行して、前記像担持体への原稿の画像に応じての潜像形成動作および前記給紙手段による給紙動作等のうちの少なくとも一つの動作が行われる画像形成装置において、前記潜像形成動作および前記給紙動作等のうちの少なくとも一つの動作に先立って、前記原稿搬送手段を作動させて原稿を搬送し、前記原稿検知手段からの原稿先端の検知有無信号に基づいて、原稿先端が前記原稿検知手段により検知される位置まで搬送されたか否かを判断する制御手段を有することを特徴とする画像形成装置である。
前記画像形成装置を引用して、請求項２ないし７記載の印刷装置と同様にして、画像形成装置の発明をすることができる。
【０１４４】
また、セットされた原稿を搬送する原稿搬送手段と、該原稿搬送手段により搬送されてきた原稿の画像を読み取る画像読取部と、前記原稿搬送手段と該画像読取部との間に設けられ前記原稿搬送手段により搬送されてきた原稿の先端を検知する原稿検知手段と、原稿の画像に応じた像を形成する像担持体を備えた画像形成手段とを具備した画像形成装置を使用し、前記画像読取部での画像読取動作と並行して、前記像担持体への原稿の画像に応じての潜像形成動作および前記画像形成手段に向けて用紙を給送する給紙手段による給紙動作等のうちの少なくとも一つの動作が行われる画像形成方法において、前記潜像形成動作および前記給紙動作等のうちの少なくとも一つの動作に先立って、前記原稿搬送手段を作動させて原稿を搬送し、前記原稿検知手段からの原稿先端の検知有無信号に基づいて、原稿先端が前記原稿検知手段により検知される位置まで搬送されたか否かを判断することを特徴とする画像形成方法である。
前記画像形成方法を引用して、請求項９ないし１４記載の印刷方法と同様にして、画像形成方法の発明をすることができる。
【０１４５】
上述した画像形成装置や画像形成方法によれば、原稿の画像に応じた像担持体への潜像形成・画像形成を行う際に、例えば起動手段をオンした後、原稿画像の読み取り開始前までの原稿前送りでの原稿不送りや原稿前送りジャム発生の場合に、潜像形成途中の処理および給紙途中の用紙処理の内の少なくとも一つの煩わしい処理作業を行わなくても済む。
【０１４６】
【発明の効果】
以上説明したように、本発明によれば、上述したような従来の印刷装置や印刷方法の有する諸問題点を解決して新規な印刷装置および印刷方法を提供することができる。請求項ごとの効果を挙げれば以下のとおりである。
請求項１ないし３記載の発明によれば、製版・印刷を行う際に、例えば起動手段をオンした後、制御手段が、排版動作、製版動作、給版動作および給紙動作のうちの少なくとも一つの動作に先立って、原稿搬送手段を作動させて原稿を搬送し、原稿検知手段からの原稿先端の検知有無信号に基づいて、原稿先端が原稿検知手段により検知される位置まで搬送されたか否かを判断するので、原稿不送りや原稿前送りジャム発生時に、排版途中のマスタ処理、製版途中のマスタ処理、給版途中のマスタ処理および給紙途中の用紙処理のうちの少なくとも一つの煩わしい処理作業を行わなくても済む。また、例えばバンク給紙装置や多段給紙装置等の、給紙手段を備えた複数の給紙装置を有する印刷装置においては、例えばバンク給紙装置や多段給紙装置では用紙搬送経路が長くなるため、実際に印刷を行う印刷部近くまで給紙前送りを行う場合があり得るから、前記の効果が顕著となる。
【０１４７】
請求項４記載の発明によれば、報知制御手段は、原稿搬送手段を作動させて原稿を搬送し、原稿検知手段をして原稿先端を検知させる時に、原稿検知手段が所定の時間内に原稿先端を検知しないとき、原稿が滞留していることを報知するように報知手段を制御するので、請求項１，２または３記載の発明の効果に加えて、原稿が滞留していることを使用者に確実に知らせることができる。
【０１４８】
請求項５記載の発明によれば、制御手段は、原稿検知手段からの原稿先端の検知有り信号に基づいて、予め設定された搬送距離分だけ原稿を搬送するように原稿搬送手段を制御した後、原稿の搬送動作を所定の時間停止するように原稿搬送手段を制御するので、請求項１ないし４の何れか一つに記載の発明の効果に加えて、原稿の搬送動作の所定の時間停止中に、排版動作、製版動作、給版動作および給紙動作のうちの少なくとも一つの所定の動作を行うことができる。
【０１４９】
請求項６記載の発明によれば、原稿の搬送動作を所定の時間停止する位置は、読取位置よりも原稿先端が原稿搬送方向の上流側に搬送された位置であることにより、原稿の画像読取動作や製版動作の最中ではないので、請求項５記載の発明の効果に加えて、原稿の搬送停止・再搬送時の搬送ピッチむらによる異常画像を防止することができる。
【０１５０】
請求項７記載の発明によれば、制御手段は、原稿の搬送動作を所定の時間停止するように原稿搬送手段を制御した後、原稿の搬送を開始するように原稿搬送手段を制御し、その後、原稿の画像の読み取りを読取位置で行うように画像読取手段を制御する動作と連動して、製版動作を行うように製版手段を制御するので、請求項６記載の発明の効果に加えて、原稿の画像先端より画像データを読み込む動作に連動（並行）して、製版・画像書込み動作開始を行うことができる。
【０１５１】
請求項８ないし１０記載の発明によれば、製版・印刷を行う際に、例えば起動手段をオンした後、排版動作、製版動作、給版動作および給紙動作のうちの少なくとも一つの動作に先立って、原稿搬送手段を作動させて原稿を搬送し、原稿検知手段からの原稿先端の検知有無信号に基づいて、原稿先端が原稿検知手段により検知される位置まで搬送されたか否かを判断するので、原稿不送りや原稿前送りジャム発生時に、排版途中のマスタ処理、製版途中のマスタ処理、給版途中のマスタ処理および給紙途中の用紙処理のうちの少なくとも一つの煩わしい処理作業を行わなくても済む。また、例えばバンク給紙装置や多段給紙装置等の、給紙手段を備えた複数の給紙装置を使用する印刷方法においては、例えばバンク給紙装置や多段給紙装置では用紙搬送経路が長くなるため、実際に印刷を行う印刷部近くまで給紙前送りを行う場合があり得るから、前記の効果が顕著となる。
【０１５２】
請求項１１記載の発明によれば、原稿搬送手段を作動させて原稿を搬送し、原稿検知手段をして原稿先端を検知させる時に、原稿検知手段が所定の時間内に原稿先端を検知しないとき、情報を報知する報知手段をして原稿が滞留していることを報知させるので、請求項８，９または１０記載の発明の効果に加えて、原稿が滞留していることを使用者に確実に知らせることができる。
【０１５３】
請求項１２記載の発明によれば、原稿検知手段からの原稿先端の検知有り信号に基づいて、原稿搬送手段をして予め設定された搬送距離分だけ原稿を搬送させた後、原稿の搬送動作を所定の時間停止させるので、請求項８ないし１１の何れか一つに記載の発明の効果に加えて、原稿の搬送動作の所定の時間停止中に、排版動作、製版動作、給版動作および給紙動作のうちの少なくとも一つの所定の動作を行うことができる。
【０１５４】
請求項１３記載の発明によれば、原稿の搬送動作を所定の時間停止する位置は、読取位置よりも原稿先端が原稿搬送方向の上流側に搬送された位置であることにより、原稿の画像読取動作や製版動作の最中ではないので、請求項１２記載の発明の効果に加えて、原稿の搬送停止・再搬送時の搬送ピッチむらによる異常画像を防止することができる。
【０１５５】
請求項１４記載の発明によれば、原稿搬送手段をして原稿の搬送動作を所定の時間停止させた後、原稿の搬送を再び開始させ、その後、画像読取手段をして原稿の画像の読み取りを読取位置で行わせる動作と連動して、製版手段をして製版動作を行わせるので、請求項１３記載の発明の効果に加えて、原稿の画像先端より画像データを読み込む動作に連動（並行）して、製版・画像書込み動作開始を行うことができる。
【図面の簡単な説明】
【図１】本発明の実施形態１を示す孔版印刷装置の要部の一部断面正面図である。
【図２】図１の孔版印刷装置において、原稿セット時の各装置の動作を表す要部の一部断面正面図である。
【図３】図１の孔版印刷装置において、原稿の前送り動作後の一時停止時の各装置の動作を表す要部の一部断面正面図である。
【図４】図１の孔版印刷装置において、原稿の前送り動作後の一時停止時に開始される排版動作を表す要部の一部断面正面図である。
【図５】図１の孔版印刷装置において、原稿の画像読取開始動作と連動・並行して行われる製版開始動作を表す要部の一部断面正面図である。
【図６】図１の孔版印刷装置において、原稿の画像読取動作の終了および製版済みマスタの印刷ドラムへの巻き付け動作を表す要部の一部断面正面図である。
【図７】図１の孔版印刷装置の要部の動作順序を示すフローチャートである。
【図８】図１の孔版印刷装置に配置された操作パネルの要部の平面図である。
【図９】図１の孔版印刷装置の要部の制御構成を示すブロック図である。
【図１０】本発明の実施形態２を示す孔版印刷装置の図であって、原稿の画像読取動作と並行して行われる排版動作および製版動作を表す要部の一部断面正面図である。
【図１１】本発明の実施形態３を示す孔版印刷装置の要部の正面図である。
【図１２】（ａ）はバンク上給紙装置からの給紙により、レジストローラ近傍の縦給紙路においてＡ３サイズの用紙の先端部にたわみを形成したときの用紙の先端から後端に至る用紙（太い実線）の用紙搬送経路および給紙前送り動作状態を、（ｂ）はバンク下給紙装置からの給紙により同じＡ３サイズの用紙の先端部にたわみを形成したときの用紙の先端から後端に至る用紙（太い実線）の用紙搬送経路および給紙前送り動作状態をそれぞれ示す概略的な正面図である。
【図１３】図１１の孔版印刷装置の要部の制御構成を示すブロック図である。
【符号の説明】
１，１Ｂ　印刷装置の一例としての孔版印刷装置
３　　製版装置としての製版書込装置
４　　製版手段
７　　給版手段を構成するマスタ送り出し手段
８　　マスタロール
８ａ　マスタ
８ｂ　製版済みマスタ
８ｃ　使用済みマスタ
９　　原稿読取装置
１１　原稿搬送手段を構成する原稿搬送ローラ
１１Ａ　原稿搬送駆動手段としてのステッピングモータ
１２　原稿搬送手段を構成する原稿搬送コロ
１３　原稿検知手段としての原稿先端検知センサ
１４　画像読取手段としてのＣＩＳ（密着型イメージセンサ）
１４Ａ　読取位置
１９　画像読取部
２０　原稿
２２　製版手段を構成するサーマルヘッド
２３　製版手段を構成するプラテンローラ
３２　給版・ドラム装置
３３　版胴を備えた印刷ドラム
３５　給版手段を構成するクランパ
３６　インキ供給手段
４６，４６−１，４６−２　給紙手段
４９　給紙手段を構成する給紙ローラ
５０　給紙手段を構成する分離ローラ
４７　給紙装置
５１　レジストローラ対
５６　排紙装置
６２　排版装置
６３　排版手段を構成する上部排版部材
６４　排版手段を構成する下部排版部材
７４　読取駆動手段
７５　排版駆動手段
７６　製版駆動手段
７７　給紙駆動手段
７９　給版・ドラム駆動手段
９０　操作パネル
９１　起動手段としての製版スタートキー
９５　報知手段としての液晶表示部
９５Ａ　報知手段を構成するガイダンス部
９５Ｂ　報知手段を構成する補助表示部
１００，１００Ａ，１００Ｂ　制御手段、報知制御手段としての制御装置
１００，１０１Ａ，１０１Ｂ　制御手段、報知制御手段を構成するＣＰＵ
１２０　押圧手段としての圧胴
２００　バンク給紙装置
Ｘ　　用紙搬送方向
Ｘ１　マスタ搬送方向
Ｘ２　原稿搬送方向
【図１】
2004009320.tif 000003
【図２】
2004009320.tif 000004
【図３】
2004009320.tif 000005
【図４】
2004009320.tif 000006
【図５】
2004009320.tif 000007
【図６】
2004009320.tif 000008
【図７】
2004009320.tif 000009
【図８】
2004009320.tif 000010
【図９】
2004009320.tif 000011
【図１０】
2004009320.tif 000012
【図１１】
2004009320.tif 000013
【図１２】
2004009320.tif 000014
【図１３】
2004009320.tif 000015